(57)【要約】【課題】耐加水分解性に優れ、粘度指数が高く、且つ、低温流動性が良好なエステル系の流体軸受用潤滑油基油を提供することを目的とする。【解決手段】特定の脂肪族モノカルボン酸エステル化合物と３−メチル−１，５−ペンタンジオールジエステル化合物を特定の割合で配合した混合エステルを流体軸受用潤滑油基油として使用すること。【選択図】なし【特許請求の範囲】
【請求項１】
一般式（１）
【化１】
2017031269.tif 000009
［式中、Ｒ１は、炭素数７〜１７の直鎖状脂肪族飽和モノカルボン酸からカルボキシル基を除いて得られる残基を表す。ｎ及びｍは、同一又は異なって、それぞれ２〜１２の整数を表す。］
で表される脂肪族飽和モノカルボン酸エステル化合物の１種又は２種以上、及び、
一般式（２）
【化２】
2017031269.tif 000010
［式中、Ｒ２及びＲ３は、同一又は異なって、それぞれ炭素数７〜１１の直鎖状脂肪族飽和モノカルボン酸からカルボキシル基を除いて得られる残基を表す。］
で表されるメチルペンタンジオールジエステル化合物の１種又は２種以上を含有し、脂肪族飽和モノカルボン酸エステル化合物とメチルペンタンジオールジエステル化合物の重量比が、３０：７０〜８０：２０であることを特徴とする流体軸受用潤滑油基油。
【請求項２】
一般式（１）に記載のｎとｍの差が２である、請求項１に記載の流体軸受用潤滑油基油。
【請求項３】
脂肪族飽和モノカルボン酸エステル化合物の総炭素数が２６〜４０である、請求項１又は請求項２に記載の流体軸受用潤滑油基油。
【請求項４】
一般式（１）に記載のｎが、７〜１１の整数である、請求項１〜３のいずれかに記載の流体軸受用潤滑油基油。
【請求項５】
一般式（１）に記載のＲ１が、炭素数７〜１３の直鎖状脂肪族飽和モノカルボン酸からカルボキシル基を除いて得られる残基である、請求項１〜４のいずれかに記載の流体軸受用潤滑油基油。
【請求項６】
流体軸受用潤滑油基油中の、脂肪族飽和モノカルボン酸エステル化合物とメチルペンタンジオールジエステル化合物の合計が９０重量％以上である、請求項１〜５のいずれかに記載の流体軸受用潤滑油基油。
【請求項７】
前記流体軸受用潤滑油基油が、動圧流体軸受用潤滑油基油又は焼結含油軸受用潤滑油基油である、請求項１〜６のいずれかに記載の流体軸受用潤滑油基油。
【請求項８】
請求項１〜７のいずれかに記載の流体軸受用潤滑油基油及び酸化防止剤を含有することを特徴とする、流体軸受用潤滑油組成物。
【請求項９】
酸化防止剤が、フェノール系酸化防止剤及び／又はアミン系酸化防止剤である、請求項８に記載の流体軸受用潤滑油組成物。
【発明の詳細な説明】
【技術分野】
【０００１】
本発明は、流体軸受用潤滑油基油に関する。
【背景技術】
【０００２】
ＨＤＤ（ハードディスクドライブ）などに搭載されるモータでは、軸受として球軸受やころ軸受が用いられていたが、モータの小型化、低振動・低騒音化などの要請から、近年、流体軸受が開発され、その流体軸受として、動圧流体軸受や焼結含油軸受が実用化されている。
【０００３】
動圧流体軸受は、軸外周面とスリーブ内周面の隙間に介在する潤滑油の油膜圧力によって、回転軸を支持し、軸外周面またはスリーブ内周面の少なくともいずれか一方に動圧溝を設け、その動圧効果によって形成された潤滑油膜によって回転軸の摺動面を浮上支持するものであり、また、焼結含油軸受は、焼結金属などから構成される多孔質体に、潤滑油または潤滑グリースを含浸させて自己潤滑機能を持たせたものである。
【０００４】
ＡＶ・ＯＡ機器の高性能化、携帯ユースの普及などに伴い、流体軸受を備えたスピンドルモータが使用され、近年、高速化、小型化の要求が強く、そのため、流体軸受にはさらなる低トルク化の要求がある。この低トルク化の要求に対応するため、比較的低粘度の潤滑油基油が選択されてきた。低粘度の潤滑油基油としては、ポリ−α−オレフィンなどの合成炭化水素系潤滑油基油、脂肪族二塩基酸ジエステル、ネオペンチル型ポリオールエステル、脂肪酸モノエステルなどのエステル系潤滑油基油を用いた流体軸受用潤滑油基油が提案されている（特許文献１〜８）。
【０００５】
それらの中でも、流体軸受用潤滑油基油として、粘度特性、低温流動性等に優れているエステル系潤滑油基油が多く使用されている。
【０００６】
しかしながら、エステル系潤滑油基油はその分子構造内にエステル基を含むため、水分により加水分解が起こり、スピンドルモータを長期に使用する場合、問題となることがあった。
【先行技術文献】
【特許文献】
【０００７】
【特許文献１】特表平１１−５１４７７８号公報
【特許文献２】特表平１１−５１４７７９号公報
【特許文献３】特開２０００−５００８９８号公報
【特許文献４】特開２００３−１１９４８２号公報
【特許文献５】国際公開ＷＯ２００４／０１８５９５号パンフレット
【特許文献６】特開２００４−０８４８３９号公報
【特許文献７】特開２００５−２９０２５６号公報
【特許文献８】特開２００８−００７７４１号公報
【発明の概要】
【発明が解決しようとする課題】
【０００８】
本発明は、加水分解安定性に優れ、粘度指数が高く、且つ、低温流動性が良好な流体軸受用潤滑油基油を提供することを目的とする。
【課題を解決するための手段】
【０００９】
本発明者らは上記課題を達成すべく鋭意検討の結果、特定の脂肪酸モノエステル化合物及びジオールエステル化合物を特定の比率で混合した混合エステル化合物が、加水分解安定性に優れ、粘度指数が高く、低温流動性が良好な流体軸受用潤滑油基油であることを見出し、本発明を完成するに至った。
【００１０】
即ち、本発明は、以下の項目を要旨とする流体軸受用潤滑油基油を提供するものである。
【００１１】
［項１］
一般式（１）
【化１】
2017031269.tif 000002
［式中、Ｒ１は、炭素数７〜１７の直鎖状脂肪族飽和モノカルボン酸からカルボキシル基を除いて得られる残基を表す。ｎ及びｍは、同一又は異なって、それぞれ２〜１２の整数を表す。］
で表される脂肪族飽和モノカルボン酸エステル化合物の１種又は２種以上、及び、
一般式（２）
【化２】
2017031269.tif 000003
［式中、Ｒ２及びＲ３は、同一又は異なって、それぞれ炭素数７〜１１の直鎖状脂肪族飽和モノカルボン酸からカルボキシル基を除いて得られる残基を表す。］
で表されるメチルペンタンジオールジエステル化合物の１種又は２種以上を含有し、脂肪族飽和モノカルボン酸エステル化合物とメチルペンタンジオールジエステル化合物の重量比が、３０：７０〜８０：２０であることを特徴とする流体軸受用潤滑油基油。
【００１２】
［項２］
一般式（１）に記載のｎとｍの差が２である、［項１］に記載の流体軸受用潤滑油基油。
【００１３】
［項３］
脂肪族飽和モノカルボン酸エステル化合物の総炭素数が２６〜４０である、［項１］又は［項２］に記載の流体軸受用潤滑油基油。
【００１４】
［項４］
一般式（１）に記載のｎが、７〜１１の整数である、［項１］〜［項３］のいずれかに記載の流体軸受用潤滑油基油。
【００１５】
［項５］
一般式（１）に記載のＲ１が、炭素数７〜１３の直鎖状脂肪族飽和モノカルボン酸からカルボキシル基を除いて得られる残基である、［項１］〜［項４］のいずれかに記載の流体軸受用潤滑油基油。
【００１６】
［項６］
流体軸受用潤滑油基油中の、脂肪族飽和モノカルボン酸エステル化合物とメチルペンタンジオールジエステル化合物の合計が９０重量％以上である、［項１］〜［項５］のいずれかに記載の流体軸受用潤滑油基油。
【００１７】
［項７］
前記流体軸受用潤滑油基油が、動圧流体軸受用潤滑油基油又は焼結含油軸受用潤滑油基油である、［項１］〜［項６］のいずれかに記載の流体軸受用潤滑油基油。
【００１８】
［項８］
［項１］〜［項７］のいずれかに記載の流体軸受用潤滑油基油及び酸化防止剤を含有することを特徴とする、流体軸受用潤滑油組成物。
【００１９】
［項９］
酸化防止剤が、フェノール系酸化防止剤及び／又はアミン系酸化防止剤である、［項８］に記載の流体軸受用潤滑油組成物。
【発明の効果】
【００２０】
本発明の流体軸受用潤滑油基油は、加水分解安定性に優れ、粘度指数が高く、且つ、低温流動性が良好な流体軸受用潤滑油基油である。
【発明を実施するための形態】
【００２１】
＜流体軸受用潤滑油基油＞
本発明の流体軸受用潤滑油基油は、下記一般式（１）で表される脂肪族モノカルボン酸エステル化合物と下記一般式（２）で表されるメチルペンタンジオールジエステル化合物とを重量比で８０：２０〜３０：７０の範囲で含有することを特徴とする流体軸受用潤滑油基油である。
【００２２】
（脂肪族モノカルボン酸エステル化合物）
本発明に用いられる脂肪族モノカルボン酸エステル化合物は、下記一般式（１）
【化３】
2017031269.tif 000004
［式中、Ｒ１は、炭素数７〜１７の直鎖状脂肪族飽和モノカルボン酸からカルボキシル基を除いて得られる残基を表す。ｎ及びｍは、同一又は異なって、それぞれ２〜１２の整数を表す。］
で表される脂肪族モノカルボン酸エステル化合物の１種又は２種以上である。
【００２３】
本発明に係る脂肪族モノカルボン酸エステル化合物は、直鎖状脂肪族飽和モノカルボン酸と下記一般式（３）
【化４】
2017031269.tif 000005
［式中、ｎ及びｍは、同一又は異なって、それぞれ２〜１２の整数を表す。］
で表される分岐鎖状脂肪族飽和アルコールとを、エステル化反応する等して得られる脂肪族モノカルボン酸エステル化合物である。
【００２４】
［直鎖状脂肪族飽和モノカルボン酸］
本明細書及び特許請求の範囲において、一般式（１）における「炭素数７〜１７の直鎖状脂肪族飽和モノカルボン酸からカルボキシル基を除いて得られる残基」との記載は、残基が炭素数７〜１７を意味しているので、直鎖状脂肪族飽和モノカルボン酸は、炭素数８〜１８の直鎖状脂肪族飽和モノカルボン酸に相当する。
【００２５】
前記炭素数８〜１８の直鎖脂肪族モノカルボン酸は、好ましくは炭素数８〜１４の直鎖脂肪族モノカルボン酸であり、特に炭素数８〜１２の直鎖脂肪族モノカルボン酸が好ましい。該炭素数が８よりも小さいと、基油の粘度が非常に低くなり、蒸発量が大きくなる。また、該炭素数が１８を超えると、基油の粘度が高くなるため好ましくない。前記炭素数８〜１８の直鎖脂肪族モノカルボン酸の具体例としては、ｎ−オクタン酸、ｎ−ノナン酸、ｎ−デカン酸、ｎ−ウンデカン酸、ｎ−ドデカン酸、ｎ−トリデカン酸、ｎ−テトラデカン酸、ｎ−ペンタデカン酸、ｎ−ヘキサデカン酸、ｎ−ヘプタデカン酸、ｎ−オクタデカン酸が挙げられる。これらの中でも、ｎ−オクタン酸、ｎ−ノナン酸、ｎ−デカン酸、ｎ−ウンデカン酸、ｎ−ドデカン酸、ｎ−トリデカン酸、ｎ−テトラデカン酸が好ましい。
【００２６】
前記直鎖状脂肪族飽和モノカルボン酸の構造が、分岐鎖の構造であると、粘度指数が低くなるため好ましくない。
【００２７】
［分岐鎖状脂肪族飽和アルコール］
前記一般式（３）において、ｎ及びｍは、同一又は異なって２〜１２の整数であり、好ましくは３〜１１の整数である。２以下になると基油が蒸発しやすくなり、１２以上になると基油の粘度が高くなる。
【００２８】
ｎとｍの差が２であることが好ましく、特に、（ｎ−ｍ）の値が２であることが好ましい。また、ｎとｍの差が２の場合、ｎは５〜１１の整数が好ましく、さらに好ましくは、６〜１０の整数であり、特に７〜９の整数が好ましい。
【００２９】
分岐鎖状脂肪族飽和アルコールの具体例としては、２−ブチルオクタノール、２−ペンチルノナノール、２−ヘキシルデカノール、２−ヘプチルウンデカノール、２−オクチルドデカノール、２−ノニルトリデカノール、２−デシルテトラデカノール等が挙げられる。これらの中でも、２−ブチルオクタノール、２−ペンチルノナノール、２−ヘキシルデカノール、２−ヘプチルウンデカノール、２−オクチルドデカノールが好ましく、特に２−ヘキシルデカノール及び２−オクチルドデカノールが好ましい。
【００３０】
本発明に係る脂肪族モノカルボン酸エステル化合物の総炭素数は、２０〜３６が好ましく、特に２２〜３２が好ましい。
【００３１】
本発明に係る脂肪族モノカルボン酸エステル化合物の具体例としては、ｎ−オクタン酸（２−ブチルオクチル）、ｎ−オクタン酸（２−ペンチルノニル）、ｎ−オクタン酸（２−ヘキシルデシル）、ｎ−オクタン酸（２−ヘプチルウンデシル）、ｎ−オクタン酸（２−オクチルドデシル）、ｎ−オクタン酸（２−ノニルトリデシル）、ｎ−オクタン酸（２−デシルテトラデシル）、ｎ−ノナン酸（２−ブチルオクチル）、ｎ−ノナン酸（２−ペンチルノニル）、ｎ−ノナン酸（２−ヘキシルデシル）、ｎ−ノナン酸（２−ヘプチルウンデシル）、ｎ−ノナン酸（２−オクチルドデシル）、ｎ−ノナン酸（２−ノニルトリデシル）、ｎ−ノナン酸（２−デシルテトラデシル）、ｎ−デカン酸（２−ブチルオクチル）、ｎ−デカン酸（２−ペンチルノニル）、ｎ−デカン酸（２−ヘキシルデシル）、ｎ−デカン酸（２−ヘプチルウンデシル）、ｎ−デカン酸（２−オクチルドデシル）、ｎ−デカン酸（２−ノニルトリデシル）、ｎ−デカン酸（２−デシルテトラデシル）、ｎ−ウンデカン酸（２−ブチルオクチル）、ｎ−ウンデカン酸（２−ペンチルノニル）、ｎ−ウンデカン酸（２−ヘキシルデシル）、ｎ−ウンデカン酸（２−ヘプチルウンデシル）、ｎ−ウンデカン酸（２−オクチルドデシル）、ｎ−ウンデカン酸（２−ノニルトリデシル）、ｎ−ウンデカン酸（２−デシルテトラデシル）、ｎ−ドデカン酸（２−ブチルオクチル）、ｎ−ドデカン酸（２−ペンチルノニル）、ｎ−ドデカン酸（２−ヘキシルデシル）、ｎ−ドデカン酸（２−ヘプチルウンデシル）、ｎ−ドデカン酸（２−オクチルドデシル）、ｎ−ドデカン酸（２−ノニルトリデシル）、ｎ−ドデカン酸（２−デシルテトラデシル）、ｎ−トリデカン酸（２−ブチルオクチル）、ｎ−トリデカン酸（２−ペンチルノニル）、ｎ−トリデカン酸（２−ヘキシルデシル）、ｎ−トリデカン酸（２−ヘプチルウンデシル）、ｎ−トリデカン酸（２−オクチルドデシル）、ｎ−トリデカン酸（２−ノニルトリデシル）、ｎ−トリデカン酸（２−デシルテトラデシル）、ｎ−テトラデカン酸（２−ブチルオクチル）、ｎ−テトラデカン酸（２−ペンチルノニル）、ｎ−テトラデカン酸（２−ヘキシルデシル）、ｎ−テトラデカン酸（２−ヘプチルウンデシル）、ｎ−テトラデカン酸（２−オクチルドデシル）、ｎ−テトラデカン酸（２−ノニルトリデシル）、ｎ−テトラデカン酸（２−デシルテトラデシル）、ｎ−ペンタデカン酸（２−ブチルオクチル）、ｎ−ペンタデカン酸（２−ペンチルノニル）、ｎ−ペンタデカン酸（２−ヘキシルデシル）、ｎ−ペンタデカン酸（２−ヘプチルウンデシル）、ｎ−ペンタデカン酸（２−オクチルドデシル）、ｎ−ペンタデカン酸（２−ノニルトリデシル）、ｎ−ペンタデカン酸（２−デシルテトラデシル）、ｎ−ヘキサデカン酸（２−ブチルオクチル）、ｎ−ヘキサデカン酸（２−ペンチルノニル）、ｎ−ヘキサデカン酸（２−ヘキシルデシル）、ｎ−ヘキサデカン酸（２−ヘプチルウンデシル）、ｎ−ヘキサデカン酸（２−オクチルドデシル）、ｎ−ヘキサデカン酸（２−ノニルトリデシル）、ｎ−ヘキサデカン酸（２−デシルテトラデシル）、ｎ−ヘプタデカン酸（２−ブチルオクチル）、ｎ−ヘプタデカン酸（２−ペンチルノニル）、ｎ−ヘプタデカン酸（２−ヘキシルデシル）、ｎ−ヘプタデカン酸（２−ヘプチルウンデシル）、ｎ−ヘプタデカン酸（２−オクチルドデシル）、ｎ−ヘプタデカン酸（２−ノニルトリデシル）、ｎ−ヘプタデカン酸（２−デシルテトラデシル）、ｎ−オクタデカン酸（２−ブチルオクチル）、ｎ−オクタデカン酸（２−ペンチルノニル）、ｎ−オクタデカン酸（２−ヘキシルデシル）、ｎ−オクタデカン酸（２−ヘプチルウンデシル）、ｎ−オクタデカン酸（２−オクチルドデシル）、ｎ−オクタデカン酸（２−ノニルトリデシル）、ｎ−オクタデカン酸（２−デシルテトラデシル）が挙げられる。その中でも、ｎ−オクタン酸（２−ブチルオクチル）、ｎ−オクタン酸（２−ペンチルノニル）、ｎ−オクタン酸（２−ヘキシルデシル）、ｎ−オクタン酸（２−ヘプチルウンデシル）、ｎ−オクタン酸（２−オクチルドデシル）、ｎ−オクタン酸（２−ノニルトリデシル）、ｎ−オクタン酸（２−デシルテトラデシル）、ｎ−ノナン酸（２−ブチルオクチル）、ｎ−ノナン酸（２−ペンチルノニル）、ｎ−ノナン酸（２−ヘキシルデシル）、ｎ−ノナン酸（２−ヘプチルウンデシル）、ｎ−ノナン酸（２−オクチルドデシル）、ｎ−ノナン酸（２−ノニルトリデシル）、ｎ−ノナン酸（２−デシルテトラデシル）、ｎ−デカン酸（２−ブチルオクチル）、ｎ−デカン酸（２−ペンチルノニル）、ｎ−デカン酸（２−ヘキシルデシル）、ｎ−デカン酸（２−ヘプチルウンデシル）、ｎ−デカン酸（２−オクチルドデシル）、ｎ−デカン酸（２−ノニルトリデシル）、ｎ−デカン酸（２−デシルテトラデシル）、ｎ−ウンデカン酸（２−ブチルオクチル）、ｎ−ウンデカン酸（２−ペンチルノニル）、ｎ−ウンデカン酸（２−ヘキシルデシル）、ｎ−ウンデカン酸（２−ヘプチルウンデシル）、ｎ−ウンデカン酸（２−オクチルドデシル）、ｎ−ウンデカン酸（２−ノニルトリデシル）、ｎ−ウンデカン酸（２−デシルテトラデシル）、ｎ−ドデカン酸（２−ブチルオクチル）、ｎ−ドデカン酸（２−ペンチルノニル）、ｎ−ドデカン酸（２−ヘキシルデシル）、ｎ−ドデカン酸（２−ヘプチルウンデシル）、ｎ−ドデカン酸（２−オクチルドデシル）、ｎ−ドデカン酸（２−ノニルトリデシル）、ｎ−ドデカン酸（２−デシルテトラデシル）、ｎ−トリデカン酸（２−ブチルオクチル）、ｎ−トリデカン酸（２−ペンチルノニル）、ｎ−トリデカン酸（２−ヘキシルデシル）、ｎ−トリデカン酸（２−ヘプチルウンデシル）、ｎ−トリデカン酸（２−オクチルドデシル）、ｎ−トリデカン酸（２−ノニルトリデシル）、ｎ−テトラデカン酸（２−ブチルオクチル）、ｎ−テトラデカン酸（２−ペンチルノニル）、ｎ−テトラデカン酸（２−ヘキシルデシル）、ｎ−テトラデカン酸（２−ヘプチルウンデシル）、ｎ−テトラデカン酸（２−オクチルドデシル）、ｎ−ペンタデカン酸（２−ブチルオクチル）、ｎ−ペンタデカン酸（２−ペンチルノニル）、ｎ−ペンタデカン酸（２−ヘキシルデシル）、ｎ−ペンタデカン酸（２−ヘプチルウンデシル）、ｎ−ペンタデカン酸（２−オクチルドデシル）、ｎ−ヘキサデカン酸（２−ブチルオクチル）、ｎ−ヘキサデカン酸（２−ペンチルノニル）、ｎ−ヘキサデカン酸（２−ヘキシルデシル）、ｎ−ヘキサデカン酸（２−ヘプチルウンデシル）、ｎ−ヘプタデカン酸（２−ブチルオクチル）、ｎ−ヘプタデカン酸（２−ペンチルノニル）、ｎ−ヘプタデカン酸（２−ヘキシルデシル）、ｎ−ヘプタデカン酸（２−ヘプチルウンデシル）、が好ましく、特にｎ−オクタン酸（２−ペンチルノニル）、ｎ−オクタン酸（２−ヘキシルデシル）、ｎ−オクタン酸（２−ヘプチルウンデシル）、ｎ−オクタン酸（２−オクチルドデシル）、ｎ−オクタン酸（２−ノニルトリデシル）、ｎ−ノナン酸（２−ペンチルノニル）、ｎ−ノナン酸（２−ヘキシルデシル）、ｎ−ノナン酸（２−ヘプチルウンデシル）、ｎ−ノナン酸（２−オクチルドデシル）、ｎ−ノナン酸（２−ノニルトリデシル）、ｎ−デカン酸（２−ブチルオクチル）、ｎ−デカン酸（２−ペンチルノニル）、ｎ−デカン酸（２−ヘキシルデシル）、ｎ−デカン酸（２−ヘプチルウンデシル）、ｎ−デカン酸（２−オクチルドデシル）、ｎ−ウンデカン酸（２−ブチルオクチル）、ｎ−ウンデカン酸（２−ペンチルノニル）、ｎ−ウンデカン酸（２−ヘキシルデシル）、ｎ−ウンデカン酸（２−ヘプチルウンデシル）、ｎ−ドデカン酸（２−ブチルオクチル）、ｎ−ドデカン酸（２−ペンチルノニル）、ｎ−ドデカン酸（２−ヘキシルデシル）が好ましい。
【００３２】
［メチルペンタンジオールジエステル化合物］
本発明に用いられるメチルペンタンジオールジエステル化合物は、下記一般式（２）
【化５】
2017031269.tif 000006
［式中、Ｒ２及びＲ３は、同一又は相異なって、炭素数７〜１１の直鎖状飽和脂肪族モノカルボン酸からカルボキシル基を除いて得られる残基を表す。］
で表されるメチルペンタンジオールジエステル化合物の１種又は２種以上である。
【００３３】
本発明に係るメチルペンタンジオールジエステル化合物は、３−メチル−１，５−ペンタンジオールと直鎖状脂肪族飽和モノカルボン酸とを、エステル化反応する等して得られるメチルペンタンジオールジエステル化合物である。
【００３４】
［直鎖状脂肪族飽和モノカルボン酸］
本明細書及び特許請求の範囲において、一般式（２）における「炭素数７〜１１の直鎖状脂肪族飽和モノカルボン酸からカルボキシル基を除いて得られる残基」との記載は、残基が炭素数７〜１７を意味しているので、その直鎖状脂肪族飽和モノカルボン酸は、炭素数８〜１２の直鎖状の脂肪族飽和モノカルボン酸に相当する。具体的には、ｎ−オクタン酸、ｎ−ノナン酸、ｎ−デカン酸、ｎ−ウンデカン酸、ｎ−ドデカン酸が挙げられる。これらは、夫々単独で又は２種以上を適宜組み合わせることができる。
【００３５】
本発明に係る上記一般式（２）で表されるメチルペンタンジオールジエステル化合物おいて、Ｒ２とＲ３が同一である場合の具体例としては、３−メチル−１，５−ペンタンジオールジ（ｎ−オクタノエート）、３−メチル−１，５−ペンタンジオールジ（ｎ−ノナノエート）、３−メチル−１，５−ペンタンジオールジ（ｎ−デカノエート）、３−メチル−１，５−ペンタンジオールジ（ｎ−ウンデカノエート）、３−メチル−１，５−ペンタンジオールジ（ｎ−ドデカノエート）が例示される。それらの中でも特に好ましいものとして、３−メチル−１，５−ペンタンジオールジ（ｎ−ノナノエート）、３−メチル−１，５−ペンタンジオールジ（ｎ−デカノエート）、３−メチル−１，５−ペンタンジオールジ（ｎ−ウンデカノエート）が挙げられる。
【００３６】
また、Ｒ２とＲ３が異なる場合の具体例としては、３−メチル−１，５−ペンタンジオールとｎ−オクタン酸及びｎ−ノナン酸とのジエステル、３−メチル−１，５−ペンタンジオールとｎ−オクタン酸及びｎ−デカン酸とのジエステル、３−メチル−１，５−ペンタンジオールとｎ−オクタン酸及びｎ−ウンデカン酸とのジエステル、３−メチル−１，５−ペンタンジオールとｎ−オクタン酸及びｎ−ドデカン酸とのジエステル、３−メチル−１，５−ペンタンジオールとｎ−ノナン酸及びｎ−デカン酸とのジエステル、３−メチル−１，５−ペンタンジオールとｎ−ノナン酸及びｎ−ウンデカン酸とのジエステル、３−メチル−１，５−ペンタンジオールとｎ−ノナン酸及びｎ−ドデカン酸とのジエステル、３−メチル−１，５−ペンタンジオールとｎ−デカン酸及びｎ−ウンデカン酸とのジエステル、３−メチル−１，５−ペンタンジオールとｎ−デカン酸及びｎ−ドデカン酸とのジエステル、３−メチル−１，５−ペンタンジオールとｎ−ウンデカン酸及びｎ−ドデカン酸とのジエステルが挙げられる。それらの中でも特に好ましいものとして、３−メチル−１，５−ペンタンジオールとｎ−オクタン酸及びｎ−ノナン酸とのジエステル、３−メチル−１，５−ペンタンジオールとｎ−オクタン酸及びｎ−デカン酸とのジエステル、３−メチル−１，５−ペンタンジオールとｎ−オクタン酸及びｎ−ウンデカン酸とのジエステル、３−メチル−１，５−ペンタンジオールとｎ−ノナン酸及びｎ−デカン酸とのジエステル、３−メチル−１，５−ペンタンジオールとｎ−ノナン酸及びｎ−ウンデカン酸とのジエステル、３−メチル−１，５−ペンタンジオールとｎ−デカン酸及びｎ−ウンデカン酸とのジエステルが挙げられる。
【００３７】
上記の脂肪族モノカルボン酸エステル化合物とメチルペンタンジオールジエステル化合物の組み合わせは、夫々１組で又は２組以上を適宜組み合わせて流体軸受用潤滑油基油に用いることができる。好ましい組合せとして、具体的には、脂肪族モノカルボン酸エステル化合物において、ｎ−オクタン酸（２−ブチルオクチル）、ｎ−オクタン酸（２−ペンチルノニル）、ｎ−オクタン酸（２−ヘキシルデシル）、ｎ−オクタン酸（２−ヘプチルウンデシル）、ｎ−オクタン酸（２−オクチルドデシル）、ｎ−オクタン酸（２−ノニルトリデシル）、ｎ−オクタン酸（２−デシルテトラデシル）、ｎ−ノナン酸（２−ブチルオクチル）、ｎ−ノナン酸（２−ペンチルノニル）、ｎ−ノナン酸（２−ヘキシルデシル）、ｎ−ノナン酸（２−ヘプチルウンデシル）、ｎ−ノナン酸（２−オクチルドデシル）、ｎ−ノナン酸（２−ノニルトリデシル）、ｎ−ノナン酸（２−デシルテトラデシル）、ｎ−デカン酸（２−ブチルオクチル）、ｎ−デカン酸（２−ペンチルノニル）、ｎ−デカン酸（２−ヘキシルデシル）、ｎ−デカン酸（２−ヘプチルウンデシル）、ｎ−デカン酸（２−オクチルドデシル）、ｎ−デカン酸（２−ノニルトリデシル）、ｎ−デカン酸（２−デシルテトラデシル）、ｎ−ウンデカン酸（２−ブチルオクチル）、ｎ−ウンデカン酸（２−ペンチルノニル）、ｎ−ウンデカン酸（２−ヘキシルデシル）、ｎ−ウンデカン酸（２−ヘプチルウンデシル）、ｎ−ウンデカン酸（２−オクチルドデシル）、ｎ−ウンデカン酸（２−ノニルトリデシル）、ｎ−ウンデカン酸（２−デシルテトラデシル）、ｎ−ドデカン酸（２−ブチルオクチル）、ｎ−ドデカン酸（２−ペンチルノニル）、ｎ−ドデカン酸（２−ヘキシルデシル）、ｎ−ドデカン酸（２−ヘプチルウンデシル）、ｎ−ドデカン酸（２−オクチルドデシル）、ｎ−ドデカン酸（２−ノニルトリデシル）、ｎ−ドデカン酸（２−デシルテトラデシル）、ｎ−トリデカン酸（２−ブチルオクチル）、ｎ−トリデカン酸（２−ペンチルノニル）、ｎ−トリデカン酸（２−ヘキシルデシル）、ｎ−トリデカン酸（２−ヘプチルウンデシル）、ｎ−トリデカン酸（２−オクチルドデシル）、ｎ−トリデカン酸（２−ノニルトリデシル）、ｎ−テトラデカン酸（２−ブチルオクチル）、ｎ−テトラデカン酸（２−ペンチルノニル）、ｎ−テトラデカン酸（２−ヘキシルデシル）、ｎ−テトラデカン酸（２−ヘプチルウンデシル）、ｎ−テトラデカン酸（２−オクチルドデシル）、ｎ−ペンタデカン酸（２−ブチルオクチル）、ｎ−ペンタデカン酸（２−ペンチルノニル）、ｎ−ペンタデカン酸（２−ヘキシルデシル）、ｎ−ペンタデカン酸（２−ヘプチルウンデシル）、ｎ−ペンタデカン酸（２−オクチルドデシル）、ｎ−ヘキサデカン酸（２−ブチルオクチル）、ｎ−ヘキサデカン酸（２−ペンチルノニル）、ｎ−ヘキサデカン酸（２−ヘキシルデシル）、ｎ−ヘキサデカン酸（２−ヘプチルウンデシル）、ｎ−ヘプタデカン酸（２−ブチルオクチル）、ｎ−ヘプタデカン酸（２−ペンチルノニル）、ｎ−ヘプタデカン酸（２−ヘキシルデシル）及びｎ−ヘプタデカン酸（２−ヘプチルウンデシル）からなる群より選ばれる少なくとも１種と、メチルペンタンジオールジエステル化合物において、３−メチル−１，５−ペンタンジオールジ（ｎ−オクタノエート）、３−メチル−１，５−ペンタンジオールジ（ｎ−ノナノエート）、３−メチル−１，５−ペンタンジオールジ（ｎ−デカノエート）、３−メチル−１，５−ペンタンジオールジ（ｎ−ウンデカノエート）、３−メチル−１，５−ペンタンジオールジ（ｎ−ドデカノエート）、３−メチル−１，５−ペンタンジオールとｎ−オクタン酸及びｎ−ノナン酸とのジエステル、３−メチル−１，５−ペンタンジオールとｎ−オクタン酸及びｎ−デカン酸とのジエステル、３−メチル−１，５−ペンタンジオールとｎ−オクタン酸及びｎ−ウンデカン酸とのジエステル、３−メチル−１，５−ペンタンジオールとｎ−オクタン酸及びｎ−ドデカン酸とのジエステル、３−メチル−１，５−ペンタンジオールとｎ−ノナン酸及びｎ−デカン酸とのジエステル、３−メチル−１，５−ペンタンジオールとｎ−ノナン酸及びｎ−ウンデカン酸とのジエステル、３−メチル−１，５−ペンタンジオールとｎ−ノナン酸及びｎ−ドデカン酸とのジエステル、３−メチル−１，５−ペンタンジオールとｎ−デカン酸及びｎ−ウンデカン酸とのジエステル、３−メチル−１，５−ペンタンジオールとｎ−デカン酸及びｎ−ドデカン酸とのジエステル及び３−メチル−１，５−ペンタンジオールとｎ−ウンデカン酸及びｎ−ドデカン酸とのジエステルからなる群より選ばれる少なくとも１種との組み合わせが推奨され、より好ましい組合せとしては、ｎ−オクタン酸（２−ペンチルノニル）、ｎ−オクタン酸（２−ヘキシルデシル）、ｎ−オクタン酸（２−ヘプチルウンデシル）、ｎ−オクタン酸（２−オクチルドデシル）、ｎ−オクタン酸（２−ノニルトリデシル）、ｎ−ノナン酸（２−ペンチルノニル）、ｎ−ノナン酸（２−ヘキシルデシル）、ｎ−ノナン酸（２−ヘプチルウンデシル）、ｎ−ノナン酸（２−オクチルドデシル）、ｎ−ノナン酸（２−ノニルトリデシル）、ｎ−デカン酸（２−ブチルオクチル）、ｎ−デカン酸（２−ペンチルノニル）、ｎ−デカン酸（２−ヘキシルデシル）、ｎ−デカン酸（２−ヘプチルウンデシル）、ｎ−デカン酸（２−オクチルドデシル）、ｎ−ウンデカン酸（２−ブチルオクチル）、ｎ−ウンデカン酸（２−ペンチルノニル）、ｎ−ウンデカン酸（２−ヘキシルデシル）、ｎ−ウンデカン酸（２−ヘプチルウンデシル）、ｎ−ドデカン酸（２−ブチルオクチル）、ｎ−ドデカン酸（２−ペンチルノニル）及びｎ−ドデカン酸（２−ヘキシルデシル）からなる群より選ばれる少なくとも１種と、メチルペンタンジオールジエステル化合物において、３−メチル−１，５−ペンタンジオールジ（ｎ−ノナノエート）、３−メチル−１，５−ペンタンジオールジ（ｎ−デカノエート）、３−メチル−１，５−ペンタンジオールジ（ｎ−ウンデカノエート）、３−メチル−１，５−ペンタンジオールとｎ−オクタン酸及びｎ−ノナン酸とのジエステル、３−メチル−１，５−ペンタンジオールとｎ−オクタン酸及びｎ−デカン酸とのジエステル、３−メチル−１，５−ペンタンジオールとｎ−オクタン酸及びｎ−ウンデカン酸とのジエステル、３−メチル−１，５−ペンタンジオールとｎ−ノナン酸及びｎ−デカン酸とのジエステル、３−メチル−１，５−ペンタンジオールとｎ−ノナン酸及びｎ−ウンデカン酸とのジエステル及び３−メチル−１，５−ペンタンジオールとｎ−デカン酸及びｎ−ウンデカン酸とのジエステルからなる群より選ばれる少なくとも１種との組み合わせが推奨される。
【００３８】
脂肪族モノカルボン酸エステル化合物とメチルペンタンジオールジエステル化合物の組み合わせとして、より具体的な例示としては、ｎ−オクタン酸（２−ブチルオクチル）と３−メチル−１，５−ペンタンジオールジ（ｎ−オクタノエート）、ｎ−オクタン酸（２−ブチルオクチル）と３−メチル−１，５−ペンタンジオールジ（ｎ−ノナノエート）、ｎ−オクタン酸（２−ブチルオクチル）と３−メチル−１，５−ペンタンジオールジ（ｎ−デカノエート）、ｎ−オクタン酸（２−ブチルオクチル）と３−メチル−１，５−ペンタンジオールジ（ｎ−ウンデカノエート）、ｎ−オクタン酸（２−ブチルオクチル）と３−メチル−１，５−ペンタンジオールジ（ｎ−ドデカノエート）、ｎ−オクタン酸（２−ペンチルノニル）と３−メチル−１，５−ペンタンジオールジ（ｎ−オクタノエート）、ｎ−オクタン酸（２−ペンチルノニル）と３−メチル−１，５−ペンタンジオールジ（ｎ−ノナノエート）、ｎ−オクタン酸（２−ペンチルノニル）と３−メチル−１，５−ペンタンジオールジ（ｎ−デカノエート）、ｎ−オクタン酸（２−ペンチルノニル）と３−メチル−１，５−ペンタンジオールジ（ｎ−ウンデカノエート）、ｎ−オクタン酸（２−ペンチルノニル）と３−メチル−１，５−ペンタンジオールジ（ｎ−ドデカノエート）、ｎ−オクタン酸（２−へキシルデシル）と３−メチル−１，５−ペンタンジオールジ（ｎ−オクタノエート）、ｎ−オクタン酸（２−へキシルデシル）と３−メチル−１，５−ペンタンジオールジ（ｎ−ノナノエート）、ｎ−オクタン酸（２−へキシルデシル）と３−メチル−１，５−ペンタンジオールジ（ｎ−デカノエート）、ｎ−オクタン酸（２−へキシルデシル）と３−メチル−１，５−ペンタンジオールジ（ｎ−ウンデカノエート）、ｎ−オクタン酸（２−へキシルデシル）と３−メチル−１，５−ペンタンジオールジ（ｎ−ドデカノエート）、ｎ−オクタン酸（２−ヘプチルウンデシル）と３−メチル−１，５−ペンタンジオールジ（ｎ−オクタノエート）、ｎ−オクタン酸（２−ヘプチルウンデシル）と３−メチル−１，５−ペンタンジオールジ（ｎ−ノナノエート）、ｎ−オクタン酸（２−ヘプチルウンデシル）と３−メチル−１，５−ペンタンジオールジ（ｎ−デカノエート）、ｎ−オクタン酸（２−ヘプチルウンデシル）と３−メチル−１，５−ペンタンジオールジ（ｎ−ウンデカノエート）、ｎ−オクタン酸（２−ヘプチルウンデシル）と３−メチル−１，５−ペンタンジオールジ（ｎ−ドデカノエート）、ｎ−オクタン酸（２−オクチルドデシル）と３−メチル−１，５−ペンタンジオールジ（ｎ−オクタノエート）、ｎ−オクタン酸（２−オクチルドデシル）と３−メチル−１，５−ペンタンジオールジ（ｎ−ノナノエート）、ｎ−オクタン酸（２−オクチルドデシル）と３−メチル−１，５−ペンタンジオールジ（ｎ−デカノエート）、ｎ−オクタン酸（２−オクチルドデシル）と３−メチル−１，５−ペンタンジオールジ（ｎ−ウンデカノエート）、ｎ−オクタン酸（２−オクチルドデシル）と３−メチル−１，５−ペンタンジオールジ（ｎ−ドデカノエート）、ｎ−オクタン酸（２−ノニルトリデシル）と３−メチル−１，５−ペンタンジオールジ（ｎ−オクタノエート）、ｎ−オクタン酸（２−ノニルトリデシル）と３−メチル−１，５−ペンタンジオールジ（ｎ−ノナノエート）、ｎ−オクタン酸（２−ノニルトリデシル）と３−メチル−１，５−ペンタンジオールジ（ｎ−デカノエート）、ｎ−オクタン酸（２−ノニルトリデシル）と３−メチル−１，５−ペンタンジオールジ（ｎ−ウンデカノエート）、ｎ−オクタン酸（２−ノニルトリデシル）と３−メチル−１，５−ペンタンジオールジ（ｎ−ドデカノエート）、ｎ−オクタン酸（２−デシルテトラデシル）と３−メチル−１，５−ペンタンジオールジ（ｎ−オクタノエート）、ｎ−オクタン酸（２−デシルテトラデシル）と３−メチル−１，５−ペンタンジオールジ（ｎ−ノナノエート）、ｎ−オクタン酸（２−デシルテトラデシル）と３−メチル−１，５−ペンタンジオールジ（ｎ−デカノエート）、ｎ−オクタン酸（２−デシルテトラデシル）と３−メチル−１，５−ペンタンジオールジ（ｎ−ウンデカノエート）、ｎ−オクタン酸（２−デシルテトラデシル））と３−メチル−１，５−ペンタンジオールジ（ｎ−ドデカノエート）、ｎ−ノナン酸（２−ブチルオクチル）と３−メチル−１，５−ペンタンジオールジ（ｎ−オクタノエート）、ｎ−ノナン酸（２−ブチルオクチル）と３−メチル−１，５−ペンタンジオールジ（ｎ−ノナノエート）、ｎ−ノナン酸（２−ブチルオクチル）と３−メチル−１，５−ペンタンジオールジ（ｎ−デカノエート）、ｎ−ノナン酸（２−ブチルオクチル）と３−メチル−１，５−ペンタンジオールジ（ｎ−ウンデカノエート）、ｎ−ノナン酸（２−ブチルオクチル）と３−メチル−１，５−ペンタンジオールジ（ｎ−ドデカノエート）、ｎ−ノナン酸（２−ペンチルノニル）と３−メチル−１，５−ペンタンジオールジ（ｎ−オクタノエート）、ｎ−ノナン酸（２−ペンチルノニル）と３−メチル−１，５−ペンタンジオールジ（ｎ−ノナノエート）、ｎ−ノナン酸（２−ペンチルノニル）と３−メチル−１，５−ペンタンジオールジ（ｎ−デカノエート）、ｎ−ノナン酸（２−ペンチルノニル）と３−メチル−１，５−ペンタンジオールジ（ｎ−ウンデカノエート）、ｎ−ノナン酸（２−ペンチルノニル）と３−メチル−１，５−ペンタンジオールジ（ｎ−ドデカノエート）、ｎ−ノナン酸（２−ヘキシルデシル）と３−メチル−１，５−ペンタンジオールジ（ｎ−オクタノエート）、ｎ−ノナン酸（２−ヘキシルデシル）と３−メチル−１，５−ペンタンジオールジ（ｎ−ノナノエート）、ｎ−ノナン酸（２−ヘキシルデシル）と３−メチル−１，５−ペンタンジオールジ（ｎ−デカノエート）、ｎ−ノナン酸（２−ヘキシルデシル）と３−メチル−１，５−ペンタンジオールジ（ｎ−ウンデカノエート）、ｎ−ノナン酸（２−ヘキシルデシル）と３−メチル−１，５−ペンタンジオールジ（ｎ−ドデカノエート）、ｎ−ノナン酸（２−ヘプチルウンデシル）と３−メチル−１，５−ペンタンジオールジ（ｎ−オクタノエート）、ｎ−ノナン酸（２−ヘプチルウンデシル）と３−メチル−１，５−ペンタンジオールジ（ｎ−ノナノエート）、ｎ−ノナン酸（２−ヘプチルウンデシル）と３−メチル−１，５−ペンタンジオールジ（ｎ−デカノエート）、ｎ−ノナン酸（２−ヘプチルウンデシル）と３−メチル−１，５−ペンタンジオールジ（ｎ−ウンデカノエート）、ｎ−ノナン酸（２−ヘプチルウンデシル）と３−メチル−１，５−ペンタンジオールジ（ｎ−ドデカノエート）、ｎ−ノナン酸（２−オクチルドデシル）と３−メチル−１，５−ペンタンジオールジ（ｎ−オクタノエート）、ｎ−ノナン酸（２−オクチルドデシル）と３−メチル−１，５−ペンタンジオールジ（ｎ−ノナノエート）、ｎ−ノナン酸（２−オクチルドデシル）と３−メチル−１，５−ペンタンジオールジ（ｎ−デカノエート）、ｎ−ノナン酸（２−オクチルドデシル）と３−メチル−１，５−ペンタンジオールジ（ｎ−ウンデカノエート）、ｎ−ノナン酸（２−オクチルドデシル）と３−メチル−１，５−ペンタンジオールジ（ｎ−ドデカノエート）、ｎ−ノナン酸（２−ノニルトリデシル）と３−メチル−１，５−ペンタンジオールジ（ｎ−オクタノエート）、ｎ−ノナン酸（２−ノニルトリデシル）と３−メチル−１，５−ペンタンジオールジ（ｎ−ノナノエート）、ｎ−ノナン酸（２−ノニルトリデシル）と３−メチル−１，５−ペンタンジオールジ（ｎ−デカノエート）、ｎ−ノナン酸（２−ノニルトリデシル）と３−メチル−１，５−ペンタンジオールジ（ｎ−ウンデカノエート）、ｎ−ノナン酸（２−ノニルトリデシル）と３−メチル−１，５−ペンタンジオールジ（ｎ−ドデカノエート）、ｎ−ノナン酸（２−デシルテトラデシル）と３−メチル−１，５−ペンタンジオールジ（ｎ−オクタノエート）、ｎ−ノナン酸（２−デシルテトラデシル）と３−メチル−１，５−ペンタンジオールジ（ｎ−ノナノエート）、ｎ−ノナン酸（２−デシルテトラデシル）と３−メチル−１，５−ペンタンジオールジ（ｎ−デカノエート）、ｎ−ノナン酸（２−デシルテトラデシル）と３−メチル−１，５−ペンタンジオールジ（ｎ−ウンデカノエート）ｎ−ノナン酸（２−デシルテトラデシル）と３−メチル−１，５−ペンタンジオールジ（ｎ−ドデカノエート）、ｎ−デカン酸（２−ブチルオクチル）と３−メチル−１，５−ペンタンジオールジ（ｎ−オクタノエート）、ｎ−デカン酸（２−ブチルオクチル）と３−メチル−１，５−ペンタンジオールジ（ｎ−ノナノエート）、ｎ−デカン酸（２−ブチルオクチル）と３−メチル−１，５−ペンタンジオールジ（ｎ−デカノエート）、ｎ−デカン酸（２−ブチルオクチル）と３−メチル−１，５−ペンタンジオールジ（ｎ−ウンデカノエート）、ｎ−デカン酸（２−ブチルオクチル）と３−メチル−１，５−ペンタンジオールジ（ｎ−ドデカノエート）、ｎ−デカン酸（２−ペンチルノニル）と３−メチル−１，５−ペンタンジオールジ（ｎ−オクタノエート）、ｎ−デカン酸（２−ペンチルノニル）と３−メチル−１，５−ペンタンジオールジ（ｎ−ノナノエート）、ｎ−デカン酸（２−ペンチルノニル）と３−メチル−１，５−ペンタンジオールジ（ｎ−デカノエート）、ｎ−デカン酸（２−ペンチルノニル）と３−メチル−１，５−ペンタンジオールジ（ｎ−ウンデカノエート）、ｎ−デカン酸（２−ペンチルノニル）と３−メチル−１，５−ペンタンジオールジ（ｎ−ドデカノエート）、ｎ−デカン酸（２−ヘキシルデシル）と３−メチル−１，５−ペンタンジオールジ（ｎ−オクタノエート）、ｎ−デカン酸（２−ヘキシルデシル）と３−メチル−１，５−ペンタンジオールジ（ｎ−ノナノエート）、ｎ−デカン酸（２−ヘキシルデシル）と３−メチル−１，５−ペンタンジオールジ（ｎ−デカノエート）、ｎ−デカン酸（２−ヘキシルデシル）と３−メチル−１，５−ペンタンジオールジ（ｎ−ウンデカノエート）、ｎ−デカン酸（２−ヘキシルデシル）と３−メチル−１，５−ペンタンジオールジ（ｎ−ドデカノエート）、ｎ−デカン酸（２−ヘプチルウンデシル）と３−メチル−１，５−ペンタンジオールジ（ｎ−オクタノエート）、ｎ−デカン酸（２−ヘプチルウンデシル）と３−メチル−１，５−ペンタンジオールジ（ｎ−ノナノエート）、ｎ−デカン酸（２−ヘプチルウンデシル）と３−メチル−１，５−ペンタンジオールジ（ｎ−デカノエート）、ｎ−デカン酸（２−ヘプチルウンデシル）と３−メチル−１，５−ペンタンジオールジ（ｎ−ウンデカノエート）、ｎ−デカン酸（２−ヘプチルウンデシル）と３−メチル−１，５−ペンタンジオールジ（ｎ−ドデカノエート）、ｎ−デカン酸（２−オクチルドデシル）と３−メチル−１，５−ペンタンジオールジ（ｎ−オクタノエート）、ｎ−デカン酸（２−オクチルドデシル）と３−メチル−１，５−ペンタンジオールジ（ｎ−ノナノエート）、ｎ−デカン酸（２−オクチルドデシル）と３−メチル−１，５−ペンタンジオールジ（ｎ−デカノエート）、ｎ−デカン酸（２−オクチルドデシル）と３−メチル−１，５−ペンタンジオールジ（ｎ−ウンデカノエート）、ｎ−デカン酸（２−オクチルドデシル）と３−メチル−１，５−ペンタンジオールジ（ｎ−ドデカノエート）、ｎ−デカン酸（２−ノニルトリデシル）と３−メチル−１，５−ペンタンジオールジ（ｎ−オクタノエート）、ｎ−デカン酸（２−ノニルトリデシル）と３−メチル−１，５−ペンタンジオールジ（ｎ−ノナノエート）、ｎ−デカン酸（２−ノニルトリデシル）と３−メチル−１，５−ペンタンジオールジ（ｎ−デカノエート）、ｎ−デカン酸（２−ノニルトリデシル）と３−メチル−１，５−ペンタンジオールジ（ｎ−ウンデカノエート）、ｎ−デカン酸（２−ノニルトリデシル）と３−メチル−１，５−ペンタンジオールジ（ｎ−ドデカノエート）、ｎ−デカン酸（２−デシルテトラデシル）と３−メチル−１，５−ペンタンジオールジ（ｎ−オクタノエート）、ｎ−デカン酸（２−デシルテトラ
デシル）と３−メチル−１，５−ペンタンジオールジ（ｎ−ノナノエート）、ｎ−デカン酸（２−デシルテトラデシル）と３−メチル−１，５−ペンタンジオールジ（ｎ−デカノエート）、ｎ−デカン酸（２−デシルテトラデシル）と３−メチル−１，５−ペンタンジオールジ（ｎ−ウンデカノエート）ｎ−デカン酸（２−デシルテトラデシル）と３−メチル−１，５−ペンタンジオールジ（ｎ−ドデカノエート）、ｎ−ウンデカン酸（２−ブチルオクチル）と３−メチル−１，５−ペンタンジオールジ（ｎ−オクタノエート）、ｎ−ウンデカン酸（２−ブチルオクチル）と３−メチル−１，５−ペンタンジオールジ（ｎ−ノナノエート）、ｎ−ウンデカン酸（２−ブチルオクチル）と３−メチル−１，５−ペンタンジオールジ（ｎ−デカノエート）、ｎ−ウンデカン酸（２−ブチルオクチル）と３−メチル−１，５−ペンタンジオールジ（ｎ−ウンデカノエート）、ｎ−ウンデカン酸（２−ブチルオクチル）と３−メチル−１，５−ペンタンジオールジ（ｎ−ドデカノエート）、ｎ−ウンデカン酸（２−ペンチルノニル）と３−メチル−１，５−ペンタンジオールジ（ｎ−オクタノエート）、ｎ−ウンデカン酸（２−ペンチルノニル）と３−メチル−１，５−ペンタンジオールジ（ｎ−ノナノエート）、ｎ−ウンデカン酸（２−ペンチルノニル）と３−メチル−１，５−ペンタンジオールジ（ｎ−デカノエート）、ｎ−ウンデカン酸（２−ペンチルノニル）と３−メチル−１，５−ペンタンジオールジ（ｎ−ウンデカノエート）、ｎ−ウンデカン酸（２−ペンチルノニル）と３−メチル−１，５−ペンタンジオールジ（ｎ−ドデカノエート）、ｎ−ウンデカン酸（２−ヘキシルデシル）と３−メチル−１，５−ペンタンジオールジ（ｎ−オクタノエート）、ｎ−ウンデカン酸（２−ヘキシルデシル）と３−メチル−１，５−ペンタンジオールジ（ｎ−ノナノエート）、ｎ−ウンデカン酸（２−ヘキシルデシル）と３−メチル−１，５−ペンタンジオールジ（ｎ−デカノエート）、ｎ−ウンデカン酸（２−ヘキシルデシル）と３−メチル−１，５−ペンタンジオールジ（ｎ−ウンデカノエート）、ｎ−ウンデカン酸（２−ヘキシルデシル）と３−メチル−１，５−ペンタンジオールジ（ｎ−ドデカノエート）、ｎ−ウンデカン酸（２−ヘプチルウンデシル）と３−メチル−１，５−ペンタンジオールジ（ｎ−オクタノエート）、ｎ−ウンデカン酸（２−ヘプチルウンデシル）と３−メチル−１，５−ペンタンジオールジ（ｎ−ノナノエート）、ｎ−ウンデカン酸（２−ヘプチルウンデシル）と３−メチル−１，５−ペンタンジオールジ（ｎ−デカノエート）、ｎ−ウンデカン酸（２−ヘプチルウンデシル）と３−メチル−１，５−ペンタンジオールジ（ｎ−ウンデカノエート）、ｎ−ウンデカン酸（２−ヘプチルウンデシル）と３−メチル−１，５−ペンタンジオールジ（ｎ−ドデカノエート）、ｎ−ウンデカン酸（２−オクチルドデシル）と３−メチル−１，５−ペンタンジオールジ（ｎ−オクタノエート）、ｎ−ウンデカン酸（２−オクチルドデシル）と３−メチル−１，５−ペンタンジオールジ（ｎ−ノナノエート）、ｎ−ウンデカン酸（２−オクチルドデシル）と３−メチル−１，５−ペンタンジオールジ（ｎ−デカノエート）、ｎ−ウンデカン酸（２−オクチルドデシル）と３−メチル−１，５−ペンタンジオールジ（ｎ−ウンデカノエート）、ｎ−ウンデカン酸（２−オクチルドデシル）と３−メチル−１，５−ペンタンジオールジ（ｎ−ドデカノエート）、ｎ−ウンデカン酸（２−ノニルトリデシル）と３−メチル−１，５−ペンタンジオールジ（ｎ−オクタノエート）、ｎ−ウンデカン酸（２−ノニルトリデシル）と３−メチル−１，５−ペンタンジオールジ（ｎ−ノナノエート）、ｎ−ウンデカン酸（２−ノニルトリデシル）と３−メチル−１，５−ペンタンジオールジ（ｎ−デカノエート）、ｎ−ウンデカン酸（２−ノニルトリデシル）と３−メチル−１，５−ペンタンジオールジ（ｎ−ウンデカノエート）、ｎ−ウンデカン酸（２−ノニルトリデシル）と３−メチル−１，５−ペンタンジオールジ（ｎ−ドデカノエート）、ｎ−ウンデカン酸（２−デシルテトラデシル）と３−メチル−１，５−ペンタンジオールジ（ｎ−オクタノエート）、ｎ−ウンデカン酸（２−デシルテトラデシル）と３−メチル−１，５−ペンタンジオールジ（ｎ−ノナノエート）、ｎ−ウンデカン酸（２−デシルテトラデシル）と３−メチル−１，５−ペンタンジオールジ（ｎ−デカノエート）、ｎ−ウンデカン酸（２−デシルテトラデシル）と３−メチル−１，５−ペンタンジオールジ（ｎ−ウンデカノエート）ｎ−ウンデカン酸（２−デシルテトラデシル）と３−メチル−１，５−ペンタンジオールジ（ｎ−ドデカノエート）、ｎ−ドデカン酸（２−ブチルオクチル）と３−メチル−１，５−ペンタンジオールジ（ｎ−オクタノエート）、ｎ−ドデカン酸（２−ブチルオクチル）と３−メチル−１，５−ペンタンジオールジ（ｎ−ノナノエート）、ｎ−ドデカン酸（２−ブチルオクチル）と３−メチル−１，５−ペンタンジオールジ（ｎ−デカノエート）、ｎ−ドデカン酸（２−ブチルオクチル）と３−メチル−１，５−ペンタンジオールジ（ｎ−ウンデカノエート）、ｎ−ドデカン酸（２−ブチルオクチル）と３−メチル−１，５−ペンタンジオールジ（ｎ−ドデカノエート）、ｎ−ドデカン酸（２−ペンチルノニル）と３−メチル−１，５−ペンタンジオールジ（ｎ−オクタノエート）、ｎ−ドデカン酸（２−ペンチルノニル）と３−メチル−１，５−ペンタンジオールジ（ｎ−ノナノエート）、ｎ−ドデカン酸（２−ペンチルノニル）と３−メチル−１，５−ペンタンジオールジ（ｎ−デカノエート）、ｎ−ドデカン酸（２−ペンチルノニル）と３−メチル−１，５−ペンタンジオールジ（ｎ−ウンデカノエート）、ｎ−ドデカン酸（２−ペンチルノニル）と３−メチル−１，５−ペンタンジオールジ（ｎ−ドデカノエート）、ｎ−ドデカン酸（２−ヘキシルデシル）と３−メチル−１，５−ペンタンジオールジ（ｎ−オクタノエート）、ｎ−ドデカン酸（２−ヘキシルデシル）と３−メチル−１，５−ペンタンジオールジ（ｎ−ノナノエート）、ｎ−ドデカン酸（２−ヘキシルデシル）と３−メチル−１，５−ペンタンジオールジ（ｎ−デカノエート）、ｎ−ドデカン酸（２−ヘキシルデシル）と３−メチル−１，５−ペンタンジオールジ（ｎ−ウンデカノエート）、ｎ−ドデカン酸（２−ヘキシルデシル）と３−メチル−１，５−ペンタンジオールジ（ｎ−ドデカノエート）、ｎ−ドデカン酸（２−ヘプチルウンデシル）と３−メチル−１，５−ペンタンジオールジ（ｎ−オクタノエート）、ｎ−ドデカン酸（２−ヘプチルウンデシル）と３−メチル−１，５−ペンタンジオールジ（ｎ−ノナノエート）、ｎ−ドデカン酸（２−ヘプチルウンデシル）と３−メチル−１，５−ペンタンジオールジ（ｎ−デカノエート）、ｎ−ドデカン酸（２−ヘプチルウンデシル）と３−メチル−１，５−ペンタンジオールジ（ｎ−ウンデカノエート）、ｎ−ドデカン酸（２−ヘプチルウンデシル）と３−メチル−１，５−ペンタンジオールジ（ｎ−ドデカノエート）、ｎ−ドデカン酸（２−オクチルドデシル）と３−メチル−１，５−ペンタンジオールジ（ｎ−オクタノエート）、ｎ−ドデカン酸（２−オクチルドデシル）と３−メチル−１，５−ペンタンジオールジ（ｎ−ノナノエート）、ｎ−ドデカン酸（２−オクチルドデシル）と３−メチル−１，５−ペンタンジオールジ（ｎ−デカノエート）、ｎ−ドデカン酸（２−オクチルドデシル）と３−メチル−１，５−ペンタンジオールジ（ｎ−ウンデカノエート）、ｎ−ドデカン酸（２−オクチルドデシル）と３−メチル−１，５−ペンタンジオールジ（ｎ−ドデカノエート）、ｎ−ドデカン酸（２−ノニルトリデシル）と３−メチル−１，５−ペンタンジオールジ（ｎ−オクタノエート）、ｎ−ドデカン酸（２−ノニルトリデシル）と３−メチル−１，５−ペンタンジオールジ（ｎ−ノナノエート）、ｎ−ドデカン酸（２−ノニルトリデシル）と３−メチル−１，５−ペンタンジオールジ（ｎ−デカノエート）、ｎ−ドデカン酸（２−ノニルトリデシル）と３−メチル−１，５−ペンタンジオールジ（ｎ−ウンデカノエート）、ｎ−ドデカン酸（２−ノニルトリデシル）と３−メチル−１，５−ペンタンジオールジ（ｎ−ドデカノエート）、ｎ−ドデカン酸（２−デシルテトラデシル）と３−メチル−１，５−ペンタンジオールジ（ｎ−オクタノエート）、ｎ−ドデカン酸（２−デシルテトラデシル）と３−メチル−１，５−ペンタンジオールジ（ｎ−ノナノエート）、ｎ−ドデカン酸（２−デシルテトラデシル）と３−メチル−１，５−ペンタンジオールジ（ｎ−デカノエート）、ｎ−ドデカン酸（２−デシルテトラデシル）と３−メチル−１，５−ペンタンジオールジ（ｎ−ウンデカノエート）ｎ−ドデカン酸（２−デシルテトラデシル）と３−メチル−１，５−ペンタンジオールジ（ｎ−ドデカノエート）、ｎ−トリデカン酸（２−ブチルオクチル）と３−メチル−１，５−ペンタンジオールジ（ｎ−オクタノエート）、ｎ−トリデカン酸（２−ブチルオクチル）と３−メチル−１，５−ペンタンジオールジ（ｎ−ノナノエート）、ｎ−トリデカン酸（２−ブチルオクチル）と３−メチル−１，５−ペンタンジオールジ（ｎ−デカノエート）、ｎ−トリデカン酸（２−ブチルオクチル）と３−メチル−１，５−ペンタンジオールジ（ｎ−ウンデカノエート）、ｎ−トリデカン酸（２−ブチルオクチル）と３−メチル−１，５−ペンタンジオールジ（ｎ−ドデカノエート）、ｎ−トリデカン酸（２−ペンチルノニル）と３−メチル−１，５−ペンタンジオールジ（ｎ−オクタノエート）、ｎ−トリデカン酸（２−ペンチルノニル）と３−メチル−１，５−ペンタンジオールジ（ｎ−ノナノエート）、ｎ−トリデカン酸（２−ペンチルノニル）と３−メチル−１，５−ペンタンジオールジ（ｎ−デカノエート）、ｎ−トリデカン酸（２−ペンチルノニル）と３−メチル−１，５−ペンタンジオールジ（ｎ−ウンデカノエート）、ｎ−トリデカン酸（２−ペンチルノニル）と３−メチル−１，５−ペンタンジオールジ（ｎ−ドデカノエート）、ｎ−トリデカン酸（２−ヘキシルデシル）と３−メチル−１，５−ペンタンジオールジ（ｎ−オクタノエート）、ｎ−トリデカン酸（２−ヘキシルデシル）と３−メチル−１，５−ペンタンジオールジ（ｎ−ノナノエート）、ｎ−トリデカン酸（２−ヘキシルデシル）と３−メチル−１，５−ペンタンジオールジ（ｎ−デカノエート）、ｎ−トリデカン酸（２−ヘキシルデシル）と３−メチル−１，５−ペンタンジオールジ（ｎ−ウンデカノエート）、ｎ−トリデカン酸（２−ヘキシルデシル）と３−メチル−１，５−ペンタンジオールジ（ｎ−ドデカノエート）、ｎ−トリデカン酸（２−ヘプチルウンデシル）と３−メチル−１，５−ペンタンジオールジ（ｎ−オクタノエート）、ｎ−トリデカン酸（２−ヘプチルウンデシル）と３−メチル−１，５−ペンタンジオールジ（ｎ−ノナノエート）、ｎ−トリデカン酸（２−ヘプチルウンデシル）と３−メチル−１，５−ペンタンジオールジ（ｎ−デカノエート）、ｎ−トリデカン酸（２−ヘプチルウンデシル）と３−メチル−１，５−ペンタンジオールジ（ｎ−ウンデカノエート）、ｎ−トリデカン酸（２−ヘプチルウンデシル）と３−メチル−１，５−ペンタンジオールジ（ｎ−ドデカノエート）、ｎ−トリデカン酸（２−オクチルドデシル）と３−メチル−１，５−ペンタンジオールジ（ｎ−オクタノエート）、ｎ−トリデカン酸（２−オクチルドデシル）と３−メチル−１，５−ペンタンジオールジ（ｎ−ノナノエート）、ｎ−トリデカン酸（２−オクチルドデシル）と３−メチル−１，５−ペンタンジオールジ（ｎ−デカノエート）、ｎ−トリデカン酸（２−オクチルドデシル）と３−メチル−１，５−ペンタンジオールジ（ｎ−ウンデカノエート）、ｎ−トリデカン酸（２−オクチルドデシル）と３−メチル−１，５−ペンタンジオールジ（ｎ−ドデカノエート）、ｎ−トリデカン酸（２−ノニルトリデシル）と３−メチル−１，５−ペンタンジオールジ（ｎ−オクタノエート）、ｎ−トリデカン酸（２−ノニルトリデシ
ル）と３−メチル−１，５−ペンタンジオールジ（ｎ−ノナノエート）、ｎ−トリデカン酸（２−ノニルトリデシル）と３−メチル−１，５−ペンタンジオールジ（ｎ−デカノエート）、ｎ−トリデカン酸（２−ノニルトリデシル）と３−メチル−１，５−ペンタンジオールジ（ｎ−ウンデカノエート）、ｎ−トリデカン酸（２−ノニルトリデシル）と３−メチル−１，５−ペンタンジオールジ（ｎ−ドデカノエート）、ｎ−テトラデカン酸（２−ブチルオクチル）と３−メチル−１，５−ペンタンジオールジ（ｎ−オクタノエート）、ｎ−テトラデカン酸（２−ブチルオクチル）と３−メチル−１，５−ペンタンジオールジ（ｎ−ノナノエート）、ｎ−テトラデカン酸（２−ブチルオクチル）と３−メチル−１，５−ペンタンジオールジ（ｎ−デカノエート）、ｎ−テトラデカン酸（２−ブチルオクチル）と３−メチル−１，５−ペンタンジオールジ（ｎ−ウンデカノエート）、ｎ−テトラデカン酸（２−ブチルオクチル）と３−メチル−１，５−ペンタンジオールジ（ｎ−ドデカノエート）、ｎ−テトラデカン酸（２−ペンチルノニル）と３−メチル−１，５−ペンタンジオールジ（ｎ−オクタノエート）、ｎ−テトラデカン酸（２−ペンチルノニル）と３−メチル−１，５−ペンタンジオールジ（ｎ−ノナノエート）、ｎ−テトラデカン酸（２−ペンチルノニル）と３−メチル−１，５−ペンタンジオールジ（ｎ−デカノエート）、ｎ−テトラデカン酸（２−ペンチルノニル）と３−メチル−１，５−ペンタンジオールジ（ｎ−ウンデカノエート）、ｎ−テトラデカン酸（２−ペンチルノニル）と３−メチル−１，５−ペンタンジオールジ（ｎ−ドデカノエート）、ｎ−テトラデカン酸（２−ヘキシルデシル）と３−メチル−１，５−ペンタンジオールジ（ｎ−オクタノエート）、ｎ−テトラデカン酸（２−ヘキシルデシル）と３−メチル−１，５−ペンタンジオールジ（ｎ−ノナノエート）、ｎ−テトラデカン酸（２−ヘキシルデシル）と３−メチル−１，５−ペンタンジオールジ（ｎ−デカノエート）、ｎ−テトラデカン酸（２−ヘキシルデシル）と３−メチル−１，５−ペンタンジオールジ（ｎ−ウンデカノエート）、ｎ−テトラデカン酸（２−ヘキシルデシル）と３−メチル−１，５−ペンタンジオールジ（ｎ−ドデカノエート）、ｎ−テトラデカン酸（２−ヘプチルウンデシル）と３−メチル−１，５−ペンタンジオールジ（ｎ−オクタノエート）、ｎ−テトラデカン酸（２−ヘプチルウンデシル）と３−メチル−１，５−ペンタンジオールジ（ｎ−ノナノエート）、ｎ−テトラデカン酸（２−ヘプチルウンデシル）と３−メチル−１，５−ペンタンジオールジ（ｎ−デカノエート）、ｎ−テトラデカン酸（２−ヘプチルウンデシル）と３−メチル−１，５−ペンタンジオールジ（ｎ−ウンデカノエート）、ｎ−テトラデカン酸（２−ヘプチルウンデシル）と３−メチル−１，５−ペンタンジオールジ（ｎ−ドデカノエート）、ｎ−テトラデカン酸（２−オクチルドデシル）と３−メチル−１，５−ペンタンジオールジ（ｎ−オクタノエート）、ｎ−テトラデカン酸（２−オクチルドデシル）と３−メチル−１，５−ペンタンジオールジ（ｎ−ノナノエート）、ｎ−テトラデカン酸（２−オクチルドデシル）と３−メチル−１，５−ペンタンジオールジ（ｎ−デカノエート）、ｎ−テトラデカン酸（２−オクチルドデシル）と３−メチル−１，５−ペンタンジオールジ（ｎ−ウンデカノエート）、ｎ−テトラデカン酸（２−オクチルドデシル）と３−メチル−１，５−ペンタンジオールジ（ｎ−ドデカノエート）、ｎ−ペンタデカン酸（２−ブチルオクチル）と３−メチル−１，５−ペンタンジオールジ（ｎ−オクタノエート）、ｎ−ペンタデカン酸（２−ブチルオクチル）と３−メチル−１，５−ペンタンジオールジ（ｎ−ノナノエート）、ｎ−ペンタデカン酸（２−ブチルオクチル）と３−メチル−１，５−ペンタンジオールジ（ｎ−デカノエート）、ｎ−ペンタデカン酸（２−ブチルオクチル）と３−メチル−１，５−ペンタンジオールジ（ｎ−ウンデカノエート）、ｎ−ペンタデカン酸（２−ブチルオクチル）と３−メチル−１，５−ペンタンジオールジ（ｎ−ドデカノエート）、ｎ−ペンタデカン酸（２−ペンチルノニル）と３−メチル−１，５−ペンタンジオールジ（ｎ−オクタノエート）、ｎ−ペンタデカン酸（２−ペンチルノニル）と３−メチル−１，５−ペンタンジオールジ（ｎ−ノナノエート）、ｎ−ペンタデカン酸（２−ペンチルノニル）と３−メチル−１，５−ペンタンジオールジ（ｎ−デカノエート）、ｎ−ペンタデカン酸（２−ペンチルノニル）と３−メチル−１，５−ペンタンジオールジ（ｎ−ウンデカノエート）、ｎ−ペンタデカン酸（２−ペンチルノニル）と３−メチル−１，５−ペンタンジオールジ（ｎ−ドデカノエート）、ｎ−ペンタデカン酸（２−ヘキシルデシル）と３−メチル−１，５−ペンタンジオールジ（ｎ−オクタノエート）、ｎ−ペンタデカン酸（２−ヘキシルデシル）と３−メチル−１，５−ペンタンジオールジ（ｎ−ノナノエート）、ｎ−ペンタデカン酸（２−ヘキシルデシル）と３−メチル−１，５−ペンタンジオールジ（ｎ−デカノエート）、ｎ−ペンタデカン酸（２−ヘキシルデシル）と３−メチル−１，５−ペンタンジオールジ（ｎ−ウンデカノエート）、ｎ−ペンタデカン酸（２−ヘキシルデシル）と３−メチル−１，５−ペンタンジオールジ（ｎ−ドデカノエート）、ｎ−ペンタデカン酸（２−ヘプチルウンデシル）と３−メチル−１，５−ペンタンジオールジ（ｎ−オクタノエート）、ｎ−ペンタデカン酸（２−ヘプチルウンデシル）と３−メチル−１，５−ペンタンジオールジ（ｎ−ノナノエート）、ｎ−ペンタデカン酸（２−ヘプチルウンデシル）と３−メチル−１，５−ペンタンジオールジ（ｎ−デカノエート）、ｎ−ペンタデカン酸（２−ヘプチルウンデシル）と３−メチル−１，５−ペンタンジオールジ（ｎ−ウンデカノエート）、ｎ−ペンタデカン酸（２−ヘプチルウンデシル）と３−メチル−１，５−ペンタンジオールジ（ｎ−ドデカノエート）、ｎ−ペンタデカン酸（２−オクチルドデシル）と３−メチル−１，５−ペンタンジオールジ（ｎ−オクタノエート）、ｎ−ペンタデカン酸（２−オクチルドデシル）と３−メチル−１，５−ペンタンジオールジ（ｎ−ノナノエート）、ｎ−ペンタデカン酸（２−オクチルドデシル）と３−メチル−１，５−ペンタンジオールジ（ｎ−デカノエート）、ｎ−ペンタデカン酸（２−オクチルドデシル）と３−メチル−１，５−ペンタンジオールジ（ｎ−ウンデカノエート）、ｎ−ペンタデカン酸（２−オクチルドデシル）と３−メチル−１，５−ペンタンジオールジ（ｎ−ドデカノエート）、ｎ−ヘキサデカン酸（２−ブチルオクチル）と３−メチル−１，５−ペンタンジオールジ（ｎ−オクタノエート）、ｎ−ヘキサデカン酸（２−ブチルオクチル）と３−メチル−１，５−ペンタンジオールジ（ｎ−ノナノエート）、ｎ−ヘキサデカン酸（２−ブチルオクチル）と３−メチル−１，５−ペンタンジオールジ（ｎ−デカノエート）、ｎ−ヘキサデカン酸（２−ブチルオクチル）と３−メチル−１，５−ペンタンジオールジ（ｎ−ウンデカノエート）、ｎ−ヘキサデカン酸（２−ブチルオクチル）と３−メチル−１，５−ペンタンジオールジ（ｎ−ドデカノエート）、ｎ−ヘキサデカン酸（２−ペンチルノニル）と３−メチル−１，５−ペンタンジオールジ（ｎ−オクタノエート）、ｎ−ヘキサデカン酸（２−ペンチルノニル）と３−メチル−１，５−ペンタンジオールジ（ｎ−ノナノエート）、ｎ−ヘキサデカン酸（２−ペンチルノニル）と３−メチル−１，５−ペンタンジオールジ（ｎ−デカノエート）、ｎ−ヘキサデカン酸（２−ペンチルノニル）と３−メチル−１，５−ペンタンジオールジ（ｎ−ウンデカノエート）、ｎ−ヘキサデカン酸（２−ペンチルノニル）と３−メチル−１，５−ペンタンジオールジ（ｎ−ドデカノエート）、ｎ−ヘキサデカン酸（２−ヘキシルデシル）と３−メチル−１，５−ペンタンジオールジ（ｎ−オクタノエート）、ｎ−ヘキサデカン酸（２−ヘキシルデシル）と３−メチル−１，５−ペンタンジオールジ（ｎ−ノナノエート）、ｎ−ヘキサデカン酸（２−ヘキシルデシル）と３−メチル−１，５−ペンタンジオールジ（ｎ−デカノエート）、ｎ−ヘキサデカン酸（２−ヘキシルデシル）と３−メチル−１，５−ペンタンジオールジ（ｎ−ウンデカノエート）、ｎ−ヘキサデカン酸（２−ヘキシルデシル）と３−メチル−１，５−ペンタンジオールジ（ｎ−ドデカノエート）、ｎ−ヘキサデカン酸（２−ヘプチルウンデシル）と３−メチル−１，５−ペンタンジオールジ（ｎ−オクタノエート）、ｎ−ヘキサデカン酸（２−ヘプチルウンデシル）と３−メチル−１，５−ペンタンジオールジ（ｎ−ノナノエート）、ｎ−ヘキサデカン酸（２−ヘプチルウンデシル）と３−メチル−１，５−ペンタンジオールジ（ｎ−デカノエート）、ｎ−ヘキサデカン酸（２−ヘプチルウンデシル）と３−メチル−１，５−ペンタンジオールジ（ｎ−ウンデカノエート）、ｎ−ヘキサデカン酸（２−ヘプチルウンデシル）と３−メチル−１，５−ペンタンジオールジ（ｎ−ドデカノエート）、ｎ−ヘプタデカン酸（２−ブチルオクチル）と３−メチル−１，５−ペンタンジオールジ（ｎ−オクタノエート）、ｎ−ヘプタデカン酸（２−ブチルオクチル）と３−メチル−１，５−ペンタンジオールジ（ｎ−ノナノエート）、ｎ−ヘプタデカン酸（２−ブチルオクチル）と３−メチル−１，５−ペンタンジオールジ（ｎ−デカノエート）、ｎ−ヘプタデカン酸（２−ブチルオクチル）と３−メチル−１，５−ペンタンジオールジ（ｎ−ウンデカノエート）、ｎ−ヘプタデカン酸（２−ブチルオクチル）と３−メチル−１，５−ペンタンジオールジ（ｎ−ドデカノエート）、ｎ−ヘプタデカン酸（２−ペンチルノニル）と３−メチル−１，５−ペンタンジオールジ（ｎ−オクタノエート）、ｎ−ヘプタデカン酸（２−ペンチルノニル）と３−メチル−１，５−ペンタンジオールジ（ｎ−ノナノエート）、ｎ−ヘプタデカン酸（２−ペンチルノニル）と３−メチル−１，５−ペンタンジオールジ（ｎ−デカノエート）、ｎ−ヘプタデカン酸（２−ペンチルノニル）と３−メチル−１，５−ペンタンジオールジ（ｎ−ウンデカノエート）、ｎ−ヘプタデカン酸（２−ペンチルノニル）と３−メチル−１，５−ペンタンジオールジ（ｎ−ドデカノエート）、ｎ−ヘプタデカン酸（２−ヘキシルデシル）と３−メチル−１，５−ペンタンジオールジ（ｎ−オクタノエート）、ｎ−ヘプタデカン酸（２−ヘキシルデシル）と３−メチル−１，５−ペンタンジオールジ（ｎ−ノナノエート）、ｎ−ヘプタデカン酸（２−ヘキシルデシル）と３−メチル−１，５−ペンタンジオールジ（ｎ−デカノエート）、ｎ−ヘプタデカン酸（２−ヘキシルデシル）と３−メチル−１，５−ペンタンジオールジ（ｎ−ウンデカノエート）、ｎ−ヘプタデカン酸（２−ヘキシルデシル）と３−メチル−１，５−ペンタンジオールジ（ｎ−ドデカノエート）、ｎ−ヘプタデカン酸（２−ヘプチルウンデシル）と３−メチル−１，５−ペンタンジオールジ（ｎ−オクタノエート）、ｎ−ヘプタデカン酸（２−ヘプチルウンデシル）と３−メチル−１，５−ペンタンジオールジ（ｎ−ノナノエート）、ｎ−ヘプタデカン酸（２−ヘプチルウンデシル）と３−メチル−１，５−ペンタンジオールジ（ｎ−デカノエート）、ｎ−ヘプタデカン酸（２−ヘプチルウンデシル）と３−メチル−１，５−ペンタンジオールジ（ｎ−ウンデカノエート）、ｎ−ヘプタデカン酸（２−ヘプチルウンデシル）と３−メチル−１，５−ペンタンジオールジ（ｎ−ドデカノエート）が挙げられる。それらの中でも特に好ましいものとして、ｎ−オクタン酸（２−ペンチルノニル）と３−メチル−１，５−ペンタンジオールジ（ｎ−オクタノエート）、ｎ−オクタン酸（２−ペンチルノニル）と３−メチル−１，５−ペンタンジオールジ（ｎ−ノナノエート）、ｎ−オクタン酸（２−ペンチルノニル）と３−メチル−１，５−ペンタンジオールジ（ｎ−デカノエート）、ｎ−オクタン酸（２−ペンチルノニル）と３−メチル−１，５−ペンタンジオールジ（ｎ−ウンデカノエ
ート）、ｎ−オクタン酸（２−ペンチルノニル）と３−メチル−１，５−ペンタンジオールジ（ｎ−ドデカノエート）、ｎ−オクタン酸（２−へキシルデシル）と３−メチル−１，５−ペンタンジオールジ（ｎ−オクタノエート）、ｎ−オクタン酸（２−へキシルデシル）と３−メチル−１，５−ペンタンジオールジ（ｎ−ノナノエート）、ｎ−オクタン酸（２−へキシルデシル）と３−メチル−１，５−ペンタンジオールジ（ｎ−デカノエート）、ｎ−オクタン酸（２−へキシルデシル）と３−メチル−１，５−ペンタンジオールジ（ｎ−ウンデカノエート）、ｎ−オクタン酸（２−へキシルデシル）と３−メチル−１，５−ペンタンジオールジ（ｎ−ドデカノエート）、ｎ−オクタン酸（２−ヘプチルウンデシル）と３−メチル−１，５−ペンタンジオールジ（ｎ−オクタノエート）、ｎ−オクタン酸（２−ヘプチルウンデシル）と３−メチル−１，５−ペンタンジオールジ（ｎ−ノナノエート）、ｎ−オクタン酸（２−ヘプチルウンデシル）と３−メチル−１，５−ペンタンジオールジ（ｎ−デカノエート）、ｎ−オクタン酸（２−ヘプチルウンデシル）と３−メチル−１，５−ペンタンジオールジ（ｎ−ウンデカノエート）、ｎ−オクタン酸（２−ヘプチルウンデシル）と３−メチル−１，５−ペンタンジオールジ（ｎ−ドデカノエート）、ｎ−オクタン酸（２−オクチルドデシル）と３−メチル−１，５−ペンタンジオールジ（ｎ−オクタノエート）、ｎ−オクタン酸（２−オクチルドデシル）と３−メチル−１，５−ペンタンジオールジ（ｎ−ノナノエート）、ｎ−オクタン酸（２−オクチルドデシル）と３−メチル−１，５−ペンタンジオールジ（ｎ−デカノエート）、ｎ−オクタン酸（２−オクチルドデシル）と３−メチル−１，５−ペンタンジオールジ（ｎ−ウンデカノエート）、ｎ−オクタン酸（２−オクチルドデシル）と３−メチル−１，５−ペンタンジオールジ（ｎ−ドデカノエート）、ｎ−オクタン酸（２−ノニルトリデシル）と３−メチル−１，５−ペンタンジオールジ（ｎ−オクタノエート）、ｎ−オクタン酸（２−ノニルトリデシル）と３−メチル−１，５−ペンタンジオールジ（ｎ−ノナノエート）、ｎ−オクタン酸（２−ノニルトリデシル）と３−メチル−１，５−ペンタンジオールジ（ｎ−デカノエート）、ｎ−オクタン酸（２−ノニルトリデシル）と３−メチル−１，５−ペンタンジオールジ（ｎ−ウンデカノエート）、ｎ−オクタン酸（２−ノニルトリデシル）と３−メチル−１，５−ペンタンジオールジ（ｎ−ドデカノエート）、ｎ−ノナン酸（２−ペンチルノニル）と３−メチル−１，５−ペンタンジオールジ（ｎ−オクタノエート）、ｎ−ノナン酸（２−ペンチルノニル）と３−メチル−１，５−ペンタンジオールジ（ｎ−ノナノエート）、ｎ−ノナン酸（２−ペンチルノニル）と３−メチル−１，５−ペンタンジオールジ（ｎ−デカノエート）、ｎ−ノナン酸（２−ペンチルノニル）と３−メチル−１，５−ペンタンジオールジ（ｎ−ウンデカノエート）、ｎ−ノナン酸（２−ペンチルノニル）と３−メチル−１，５−ペンタンジオールジ（ｎ−ドデカノエート）、ｎ−ノナン酸（２−ヘキシルデシル）と３−メチル−１，５−ペンタンジオールジ（ｎ−オクタノエート）、ｎ−ノナン酸（２−ヘキシルデシル）と３−メチル−１，５−ペンタンジオールジ（ｎ−ノナノエート）、ｎ−ノナン酸（２−ヘキシルデシル）と３−メチル−１，５−ペンタンジオールジ（ｎ−デカノエート）、ｎ−ノナン酸（２−ヘキシルデシル）と３−メチル−１，５−ペンタンジオールジ（ｎ−ウンデカノエート）、ｎ−ノナン酸（２−ヘキシルデシル）と３−メチル−１，５−ペンタンジオールジ（ｎ−ドデカノエート）、ｎ−ノナン酸（２−ヘプチルウンデシル）と３−メチル−１，５−ペンタンジオールジ（ｎ−オクタノエート）、ｎ−ノナン酸（２−ヘプチルウンデシル）と３−メチル−１，５−ペンタンジオールジ（ｎ−ノナノエート）、ｎ−ノナン酸（２−ヘプチルウンデシル）と３−メチル−１，５−ペンタンジオールジ（ｎ−デカノエート）、ｎ−ノナン酸（２−ヘプチルウンデシル）と３−メチル−１，５−ペンタンジオールジ（ｎ−ウンデカノエート）、ｎ−ノナン酸（２−ヘプチルウンデシル）と３−メチル−１，５−ペンタンジオールジ（ｎ−ドデカノエート）、ｎ−ノナン酸（２−オクチルドデシル）と３−メチル−１，５−ペンタンジオールジ（ｎ−オクタノエート）、ｎ−ノナン酸（２−オクチルドデシル）と３−メチル−１，５−ペンタンジオールジ（ｎ−ノナノエート）、ｎ−ノナン酸（２−オクチルドデシル）と３−メチル−１，５−ペンタンジオールジ（ｎ−デカノエート）、ｎ−ノナン酸（２−オクチルドデシル）と３−メチル−１，５−ペンタンジオールジ（ｎ−ウンデカノエート）、ｎ−ノナン酸（２−オクチルドデシル）と３−メチル−１，５−ペンタンジオールジ（ｎ−ドデカノエート）、ｎ−ノナン酸（２−ノニルトリデシル）と３−メチル−１，５−ペンタンジオールジ（ｎ−オクタノエート）、ｎ−ノナン酸（２−ノニルトリデシル）と３−メチル−１，５−ペンタンジオールジ（ｎ−ノナノエート）、ｎ−ノナン酸（２−ノニルトリデシル）と３−メチル−１，５−ペンタンジオールジ（ｎ−デカノエート）、ｎ−ノナン酸（２−ノニルトリデシル）と３−メチル−１，５−ペンタンジオールジ（ｎ−ウンデカノエート）、ｎ−ノナン酸（２−ノニルトリデシル）と３−メチル−１，５−ペンタンジオールジ（ｎ−ドデカノエート）、ｎ−デカン酸（２−ブチルオクチル）と３−メチル−１，５−ペンタンジオールジ（ｎ−オクタノエート）、ｎ−デカン酸（２−ブチルオクチル）と３−メチル−１，５−ペンタンジオールジ（ｎ−ノナノエート）、ｎ−デカン酸（２−ブチルオクチル）と３−メチル−１，５−ペンタンジオールジ（ｎ−デカノエート）、ｎ−デカン酸（２−ブチルオクチル）と３−メチル−１，５−ペンタンジオールジ（ｎ−ウンデカノエート）、ｎ−デカン酸（２−ブチルオクチル）と３−メチル−１，５−ペンタンジオールジ（ｎ−ドデカノエート）、ｎ−デカン酸（２−ペンチルノニル）と３−メチル−１，５−ペンタンジオールジ（ｎ−オクタノエート）、ｎ−デカン酸（２−ペンチルノニル）と３−メチル−１，５−ペンタンジオールジ（ｎ−ノナノエート）、ｎ−デカン酸（２−ペンチルノニル）と３−メチル−１，５−ペンタンジオールジ（ｎ−デカノエート）、ｎ−デカン酸（２−ペンチルノニル）と３−メチル−１，５−ペンタンジオールジ（ｎ−ウンデカノエート）、ｎ−デカン酸（２−ペンチルノニル）と３−メチル−１，５−ペンタンジオールジ（ｎ−ドデカノエート）、ｎ−デカン酸（２−ヘキシルデシル）と３−メチル−１，５−ペンタンジオールジ（ｎ−オクタノエート）、ｎ−デカン酸（２−ヘキシルデシル）と３−メチル−１，５−ペンタンジオールジ（ｎ−ノナノエート）、ｎ−デカン酸（２−ヘキシルデシル）と３−メチル−１，５−ペンタンジオールジ（ｎ−デカノエート）、ｎ−デカン酸（２−ヘキシルデシル）と３−メチル−１，５−ペンタンジオールジ（ｎ−ウンデカノエート）、ｎ−デカン酸（２−ヘキシルデシル）と３−メチル−１，５−ペンタンジオールジ（ｎ−ドデカノエート）、ｎ−デカン酸（２−ヘプチルウンデシル）と３−メチル−１，５−ペンタンジオールジ（ｎ−オクタノエート）、ｎ−デカン酸（２−ヘプチルウンデシル）と３−メチル−１，５−ペンタンジオールジ（ｎ−ノナノエート）、ｎ−デカン酸（２−ヘプチルウンデシル）と３−メチル−１，５−ペンタンジオールジ（ｎ−デカノエート）、ｎ−デカン酸（２−ヘプチルウンデシル）と３−メチル−１，５−ペンタンジオールジ（ｎ−ウンデカノエート）、ｎ−デカン酸（２−ヘプチルウンデシル）と３−メチル−１，５−ペンタンジオールジ（ｎ−ドデカノエート）、ｎ−デカン酸（２−オクチルドデシル）と３−メチル−１，５−ペンタンジオールジ（ｎ−オクタノエート）、ｎ−デカン酸（２−オクチルドデシル）と３−メチル−１，５−ペンタンジオールジ（ｎ−ノナノエート）、ｎ−デカン酸（２−オクチルドデシル）と３−メチル−１，５−ペンタンジオールジ（ｎ−デカノエート）、ｎ−デカン酸（２−オクチルドデシル）と３−メチル−１，５−ペンタンジオールジ（ｎ−ウンデカノエート）、ｎ−デカン酸（２−オクチルドデシル）と３−メチル−１，５−ペンタンジオールジ（ｎ−ドデカノエート）、ｎ−ウンデカン酸（２−ブチルオクチル）と３−メチル−１，５−ペンタンジオールジ（ｎ−オクタノエート）、ｎ−ウンデカン酸（２−ブチルオクチル）と３−メチル−１，５−ペンタンジオールジ（ｎ−ノナノエート）、ｎ−ウンデカン酸（２−ブチルオクチル）と３−メチル−１，５−ペンタンジオールジ（ｎ−デカノエート）、ｎ−ウンデカン酸（２−ブチルオクチル）と３−メチル−１，５−ペンタンジオールジ（ｎ−ウンデカノエート）、ｎ−ウンデカン酸（２−ブチルオクチル）と３−メチル−１，５−ペンタンジオールジ（ｎ−ドデカノエート）、ｎ−ウンデカン酸（２−ペンチルノニル）と３−メチル−１，５−ペンタンジオールジ（ｎ−オクタノエート）、ｎ−ウンデカン酸（２−ペンチルノニル）と３−メチル−１，５−ペンタンジオールジ（ｎ−ノナノエート）、ｎ−ウンデカン酸（２−ペンチルノニル）と３−メチル−１，５−ペンタンジオールジ（ｎ−デカノエート）、ｎ−ウンデカン酸（２−ペンチルノニル）と３−メチル−１，５−ペンタンジオールジ（ｎ−ウンデカノエート）、ｎ−ウンデカン酸（２−ペンチルノニル）と３−メチル−１，５−ペンタンジオールジ（ｎ−ドデカノエート）、ｎ−ウンデカン酸（２−ヘキシルデシル）と３−メチル−１，５−ペンタンジオールジ（ｎ−オクタノエート）、ｎ−ウンデカン酸（２−ヘキシルデシル）と３−メチル−１，５−ペンタンジオールジ（ｎ−ノナノエート）、ｎ−ウンデカン酸（２−ヘキシルデシル）と３−メチル−１，５−ペンタンジオールジ（ｎ−デカノエート）、ｎ−ウンデカン酸（２−ヘキシルデシル）と３−メチル−１，５−ペンタンジオールジ（ｎ−ウンデカノエート）、ｎ−ウンデカン酸（２−ヘキシルデシル）と３−メチル−１，５−ペンタンジオールジ（ｎ−ドデカノエート）、ｎ−ウンデカン酸（２−ヘプチルウンデシル）と３−メチル−１，５−ペンタンジオールジ（ｎ−オクタノエート）、ｎ−ウンデカン酸（２−ヘプチルウンデシル）と３−メチル−１，５−ペンタンジオールジ（ｎ−ノナノエート）、ｎ−ウンデカン酸（２−ヘプチルウンデシル）と３−メチル−１，５−ペンタンジオールジ（ｎ−デカノエート）、ｎ−ウンデカン酸（２−ヘプチルウンデシル）と３−メチル−１，５−ペンタンジオールジ（ｎ−ウンデカノエート）、ｎ−ウンデカン酸（２−ヘプチルウンデシル）と３−メチル−１，５−ペンタンジオールジ（ｎ−ドデカノエート）、ｎ−ドデカン酸（２−ブチルオクチル）と３−メチル−１，５−ペンタンジオールジ（ｎ−オクタノエート）、ｎ−ドデカン酸（２−ブチルオクチル）と３−メチル−１，５−ペンタンジオールジ（ｎ−ノナノエート）、ｎ−ドデカン酸（２−ブチルオクチル）と３−メチル−１，５−ペンタンジオールジ（ｎ−デカノエート）、ｎ−ドデカン酸（２−ブチルオクチル）と３−メチル−１，５−ペンタンジオールジ（ｎ−ウンデカノエート）、ｎ−ドデカン酸（２−ブチルオクチル）と３−メチル−１，５−ペンタンジオールジ（ｎ−ドデカノエート）、ｎ−ドデカン酸（２−ペンチルノニル）と３−メチル−１，５−ペンタンジオールジ（ｎ−オクタノエート）、ｎ−ドデカン酸（２−ペンチルノニル）と３−メチル−１，５−ペンタンジオールジ（ｎ−ノナノエート）、ｎ−ドデカン酸（２−ペンチルノニル）と３−メチル−１，５−ペンタンジオールジ（ｎ−デカノエート）、ｎ−ドデカン酸（２−ペンチルノニル）と３−メチル−１，５−ペンタンジオールジ（ｎ−ウンデカノエート）、ｎ−ドデカン酸（２−ペンチルノニル）と３−メチル−１，５−ペンタンジオールジ（ｎ−ドデカノエート）、ｎ−ドデカン酸（２−ヘキシルデシル）と３−メチル−１，５−ペンタンジオールジ（ｎ−オクタノエート）、ｎ−
ドデカン酸（２−ヘキシルデシル）と３−メチル−１，５−ペンタンジオールジ（ｎ−ノナノエート）、ｎ−ドデカン酸（２−ヘキシルデシル）と３−メチル−１，５−ペンタンジオールジ（ｎ−デカノエート）、ｎ−ドデカン酸（２−ヘキシルデシル）と３−メチル−１，５−ペンタンジオールジ（ｎ−ウンデカノエート）、ｎ−ドデカン酸（２−ヘキシルデシル）と３−メチル−１，５−ペンタンジオールジ（ｎ−ドデカノエート）が挙げられる。
【００３９】
本発明の潤滑油基油は、上記の脂肪族モノカルボン酸エステル化合物とメチルペンタンジオールジエステル化合物とを重量比で３０：７０〜８０：２０含有している潤滑油基油であり、好ましくは重量比で３０：７０〜６０：４０であり、特に４５：５５〜５５：４５が好ましい。
【００４０】
流体軸受用潤滑油基油中において、上記の脂肪族モノカルボン酸エステル化合物とメチルペンタンジオールジエステル化合物の合計が９０重量％以上含有していることが好ましく、より好ましくは９５重量％以上、特に９８重量％以上が好ましい。
【００４１】
本発明の潤滑油基油の４０℃での動粘度は、５〜１５ｍｍ２／ｓの範囲が好ましく、より好ましくは６〜１４ｍｍ２／ｓ、特に、７〜１３ｍｍ２／ｓの範囲が推奨される。４０℃での動粘度が５ｍｍ２／ｓ未満では、潤滑性能が低下する傾向が認められ、１５ｍｍ２／ｓを超えるとエネルギー損失が大きくなる傾向が認められる。なお、上記動粘度は、後記実施例に記載した方法にて得られる値である。
【００４２】
本発明の潤滑油基油の粘度指数は、１４０以上が好ましく、より好ましくは１４５以上、特に１５０以上が推奨される。粘度指数が高いものほど粘度−温度特性に優れる。なお、上記粘度指数は、後記実施例に記載した方法にて得られる値である。
【００４３】
本発明の潤滑油基油の低温特性は、例えば、低温流動性試験による流動点によって評価することができる。本発明の潤滑油基油の流動点は、−１０℃以下が好ましく、より好ましくは−１５℃以下、特に−２０℃以下が推奨される。流動点が低いものほど低温流動性に優れる。なお、上記流動点は、後記実施例に記載した低温流動性試験にて得られる値である。
【００４４】
本発明の潤滑油基油の加水分解安定性は、例えば、加水分解試験後の酸価の上昇量によって評価することができる。本発明の潤滑油基油の加水分解試験後の酸価の上昇量は、好ましくは０．７０ＫＯＨｍｇ／ｇ以下、より好ましくは０．６５ＫＯＨｍｇ／ｇ以下、特に０．６０ＫＯＨｍｇ／ｇ以下が好ましい。加水分解試験後の酸価の上昇量が少ないほど加水分解安定性に優れていると評価される。なお、上記加水分解試験後の酸価の上昇量は、後記実施例に記載した加水分解安定性試験にて得られる値である。
【００４５】
本発明の流体軸受用潤滑油基油は、動圧流体軸受用又は焼結含油軸受用潤滑油基油として好適に用いられる。
【００４６】
[エステル化合物の製造方法]
本発明の潤滑油基油にかかる一般式（１）で表される脂肪族モノカルボン酸エステル化合物の製造方法としては、例えば、直鎖状脂肪族飽和モノカルボン酸と分岐鎖状脂肪族飽和アルコールとをエステル化反応することにより製造される。製造方法は特に限定がなく、従来公知の製造方法を用いることができる。
【００４７】
エステル化反応を行うに際し、エステル化触媒存在下で直鎖状脂肪族飽和モノカルボン酸と分岐鎖状脂肪族飽和アルコールとをエステル化反応させた後、後処理・精製処理することにより、本発明に係る脂肪族モノカルボン酸エステル化合物を得る工程が例示される。
【００４８】
エステル化反応の際、直鎖状脂肪族飽和モノカルボン酸は、分岐鎖状脂肪族飽和アルコールのヒドロキシル基１モルに対して、通常１．０〜２．０、好ましくは１．０２〜１．５モル用いられる。
【００４９】
エステル化触媒としては、ルイス酸、スルホン酸誘導体等が例示される。より具体的には、ルイス酸としては、アルミニウム誘導体、錫誘導体、チタン誘導体が例示される。また、スルホン酸誘導体としてはパラトルエンスルホン酸、メタンスルホン酸、硫酸等が例示される。その使用量は、例えば、直鎖状脂肪族飽和モノカルボン酸と分岐鎖状脂肪族飽和アルコールの総重量に対して、通常０．０１〜５．０重量％程度用いられる。
【００５０】
エステル化反応は、通常１２０〜２５０℃、好ましくは１４０〜２３０℃の反応温度で、不活性ガスの存在下で行うことが好ましい。反応時間としては、通常３〜３０時間程度である。必要に応じて、生成してくる水をベンゼン、トルエン、キシレン、シクロヘキサン等の水同伴剤を用いて系外に共沸留去させてもよい。
【００５１】
エステル化反応終了後、過剰の原料（直鎖状脂肪族飽和モノカルボン酸）を減圧下又は常圧下にて留去する。引き続き慣用の精製方法、例えば、中和、水洗、液抽出、減圧蒸留、活性炭等の吸着剤精製により脂肪族モノカルボン酸エステル化合物を得ることができる。
【００５２】
また、本発明の潤滑油基油にかかる一般式（２）で表されるメチルペンタンジオールジエステル化合物を、上記記載のエステル製造方法において、分岐鎖状脂肪族飽和アルコールを３−メチル−１，５−ペンタンジオールに代えてエステル化反応することで、メチルペンタンジオールジエステル化合物を得ることができる。製造条件等については、脂肪族モノカルボン酸エステル化合物を製造する条件及び方法と同様である。
【００５３】
本発明の流体軸受用潤滑油基油は、併用基油として鉱物油（石油の精製によって得られる炭化水素油）、ポリ−α−オレフィン、ポリブテン、アルキルベンゼン、アルキルナフタレン、脂環式炭化水素油、フィッシャートロプシュ法によって得られる合成炭化水素の異性化油などの合成炭化水素油、動植物油、本エステル（脂肪族モノカルボン酸エステル化合物、メチルペンタンジオールジエステル化合物）以外の有機酸エステル、ポリアルキレングリコール、ポリビニルエーテル、ポリフェニルエーテル、アルキルフェニルエーテル、シリコーン油などの併用基油の少なくとも１種を適宜併用することができる。
【００５４】
鉱物油としては、溶剤精製鉱油、水素化精製鉱油、ワックス異性化油が挙げられるが、通常、１００℃における動粘度が１．０〜２５ｍｍ２／ｓ、好ましくは２．０〜２０．０ｍｍ２／ｓの範囲にあるものが用いられる。
【００５５】
ポリ−α−オレフィンとしては、炭素数２〜１６のα−オレフィン（例えばエチレン、プロピレン、１−ブテン、１−ヘキセン、１−オクテン、１−デセン、１−ドデセン、１−テトラデセン、１ーヘキサデセン等）の重合体又は共重合体であって、１００℃における動粘度が１．０〜２５ｍｍ２／ｓ、粘度指数が１００以上のものが例示され、特に１００℃における動粘度が１．５〜２０．０ｍｍ２／ｓで、粘度指数が１２０以上のものが好ましい。
【００５６】
ポリブテンとしては、イソブチレンを重合したもの、イソブチレンをノルマルブチレンと共重合したものがあり、一般に１００℃の動粘度が２．０〜４０ｍｍ２／ｓの広範囲のものが挙げられる。
【００５７】
アルキルベンゼンとしては、炭素数１〜４０の直鎖又は分岐のアルキル基で置換された、分子量が２００〜４５０であるモノアルキルベンゼン、ジアルキルベンゼン、トリアルキルベンゼン、テトラアルキルベンゼン等が例示される。
【００５８】
アルキルナフタレンとしては、炭素数１〜３０の直鎖又は分岐のアルキル基で置換されたモノアルキルナフタレン、ジアルキルナフタレン等が例示される。
【００５９】
動植物油としては、牛脂、豚脂、パーム油、ヤシ油、ナタネ油、ヒマシ油、ヒマワリ油等が例示される。
【００６０】
有機酸エステルとしては、脂肪酸モノエステル（本発明に係る脂肪族モノカルボン酸エステル化合物を除く）、脂肪族二塩基酸ジエステル、ポリオールエステル（本発明に係るメチルペンタンジオールジエステル化合物を除く）及びその他のエステルが例示される。
【００６１】
脂肪酸モノエステル（本発明に係る脂肪族モノカルボン酸エステル化合物を除く）としては、炭素数５〜２２の脂肪族直鎖状又は分岐鎖状モノカルボン酸と炭素数３〜２２の直鎖状又は分岐鎖状の飽和若しくは不飽和の脂肪族アルコールとのエステルが挙げられる。
【００６２】
脂肪族二塩基酸ジエステルとしては、シュウ酸、マロン酸、コハク酸、グルタル酸、アジピン酸、ピメリン酸、スベリン酸、アゼライン酸、セバシン酸、１，９−ノナメチレンジカルボン酸、１，１０−デカメチレンジカルボン酸等脂肪族二塩基酸若しくはその無水物と炭素数３〜２２の直鎖状又は分岐鎖状の飽和若しくは不飽和の脂肪族アルコールとのジエステルが挙げられる。
【００６３】
ポリオールエステルとしては、ネオペンチルグリコール、２，２−ジエチルプロパンジオール、２−ブチル２−エチルプロパンンジオール、トリメチロールエタン、トリメチロールプロパン、ペンタエリスリトール、ジトリメチロールプロパン、ジペンタエリスリトール等のネオペンチル型構造のポリオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，２−プロパンジオール、２−メチル−１，３−プロパンジオール、１，３−ブタンジオール、２−メチル−１，４−ブタンジオール、１，４−ペンタンジオール、２−メチル−１，５−ペンタンジオール、１，５−ヘキサンジオール、２−メチル−１，６−ヘキサンジオール、３−メチル−１，６−ヘキサンジオール、１，６−ヘプタンジオール、２−メチル−１，７−ヘプタンジオール、３−メチル−１，７−ヘプタンジオール、４−メチル−１，７−ヘプタンジオール、１，７−オクタンジオール、２−メチル−１，８−オクタンジオール、３−メチル−１，８−オクタンジオール、４−メチル−１，８−オクタンジオール、１，８−ノナンジオール、２−メチル−１，９−ノナンジオール、３−メチル−１，９−ノナンジオール、４−メチル−１，９−ノナンジオール、５−メチル−１，９−ノナンジオール、２−エチル−１，３−ヘキサンジオール、グリセリン、ポリグリセリン、ソルビトール等の非ネオペンチル型構造のポリオールと炭素数３〜２２の直鎖状及び／又は分岐鎖状の飽和又は不飽和の脂肪族モノカルボン酸とのフルエステルを使用することが可能である。
【００６４】
その他のエステルとしては、ダイマー酸、水添ダイマー酸などの重合脂肪酸、或いは、縮合ヒマシ油脂肪酸、水添縮合ヒマシ油脂肪酸などのヒドロキシ脂肪酸と炭素数３〜２２の直鎖状若しくは分岐鎖状の飽和又は不飽和の脂肪族アルコールとのエステルが挙げられる。
【００６５】
ポリアルキレングリコールとしては、アルコールと炭素数２〜４の直鎖状若しくは分岐鎖状のアルキレンオキシドの開環重合体が例示される。アルキレンオキシドとしてはエチレンオキシド、プロピレンオキシド、ブチレンオキシドが挙げられ、これらの１種を用いた重合体、若しくは２種以上の混合物を用いた共重合体が使用可能である。又、片端又は両端の水酸基部分がエーテル化若しくはエステル化した化合物も使用可能である。重合体の動粘度としては、５．０〜１，０００ｍｍ２／ｓ（４０℃）、好ましくは５．０〜５００ｍｍ２／ｓ（４０℃）である。
【００６６】
ポリビニルエーテルとしては、ビニルエーテルモノマーの重合によって得られる化合物であり、モノマーとしてはメチルビニルエーテル、エチルビニルエーテル、イソプロピルビニルエーテル、ｎ−ブチルビニルエーテル、イソブチルビニルエーテル、ｓｅｃ−ブチルビニルエーテル、ｔｅｒｔ−ブチルビニルエーテル、ｎ−ペンチルビニルエーテル、ｎ−ヘキシルビニルエーテル、２−メトキシエチルビニルエーテル、２−エトキシエチルビニルエーテル等が挙げられる。重合体の動粘度としては、５．０〜１，０００ｍｍ２／ｓ（４０℃）、好ましくは５．０〜５００ｍｍ２／ｓ（４０℃）である。
【００６７】
ポリフェニルエーテルとしては、２個以上の芳香環のメタ位をエーテル結合又はチオエーテル結合でつないだ構造を有する化合物が挙げられ、具体的には、ビス（ｍ−フェノキシフェニル）エーテル、ｍ−ビス（ｍ−フェノキシフェノキシ）ベンゼン、及びそれらの酸素の１個若しくは２個以上を硫黄に置換したチオエーテル類（通称Ｃ−エーテル）等が例示される。
【００６８】
アルキルフェニルエーテルとしては、ポリフェニルエーテルを炭素数６〜１８の直鎖状若しくは分岐鎖状のアルキル基で置換した化合物が挙げられ、特に１個以上のアルキル基で置換したアルキルジフェニルエーテルが好ましい。
【００６９】
シリコーン油としては、ジメチルシリコーン、メチルフェニルシリコーンのほか、長鎖アルキルシリコーン、フルオロシリコーン等の変性シリコーンが挙げられる。
【００７０】
本発明の流体軸受用潤滑油基油に中における併用基油の含有量としては、１０重量％未満が推奨されるが、物性のバランスを良くする為には５重量％未満であることがより好ましい。
【００７１】
＜流体軸受用潤滑油組成物＞
本発明の流体軸受用潤滑油組成物は、上記の流体軸受用潤滑油基油の性能を向上させるために、潤滑油基油（即ち、脂肪族モノカルボン酸エステル化合物とメチルペンタンジオールジエステル化合物のみからなる潤滑油基油、又は脂肪族モノカルボン酸エステル化合物、メチルペンタンジオールジエステル化合物及び併用基油）に加えて、酸化防止剤を配合した流体軸受用潤滑油組成物である。
【００７２】
酸化防止剤としては、フェノール系酸化防止剤、アミン系酸化防止剤、硫黄系酸化防止剤等が挙げられる。その中でも、フェノール系酸化防止剤、アミン系酸化防止剤が推奨される。
【００７３】
フェノール系酸化防止剤としては、この分野で使用されている公知のものが特に制限されることなく使用できる。これらフェノール系酸化防止剤のうちでも、特に、分子内に硫黄を含有しない炭素数６〜１００、好ましくは１０〜８０のものが好ましい。
【００７４】
具体的には、２，６−ジ−ｔ−ブチルフェノール、２，６−ジ−ｔ−ブチル−ｐ−クレゾール、４，４’−メチレンビス（２，６−ジ−ｔ−ブチルフェノール）、４，４’−ブチリデンビス（３−メチル−６−ｔ−ブチルフェノール）、２，２’−メチレンビス（４−エチル−６−ｔ−ブチルフェノール）、２，２’−メチレンビス（４−メチル−６−ｔ−ブチルフェノール）、４，４’−イソプロピリデンビスフェノール、２，４−ジメチル−６−ｔ−ブチルフェノール、テトラキス［メチレン−３−（３，５−ジ−ｔ−ブチル−４−ヒドロキシフェニル）プロピオネート］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、２，２’−ジヒドロキシ−３，３’−ジ（α−メチルシクロヘキシル）−５，５’−ジメチル−ジフェニルメタン、２，２’−イソブチリデンビス（４，６−ジメチルフェノール）、２，６−ビス（２’−ヒドロキシ−３’−ｔ−ブチル−５’−メチルベンジル）−４−メチルフェノール、１，１’−ビス（４−ヒドロキシフェニル）シクロヘキサン、２，５−ジ−ｔ−アミルヒドロキノン、２，５−ジ−ｔ−ブチルヒドロキノン、１，４−ジヒドロキシアントラキノン、３−ｔ−ブチル−４−ヒドロキシアニソール、２−ｔ−ブチル−４−ヒドロキシアニソール、２，４−ジベンゾイルレゾルシノール、４−ｔ−ブチルカテコール、２，６−ジ−ｔ−ブチル−４−エチルフェノール、２−ヒドロキシ−４−メトキシベンゾフェノン、２，４−ジヒドロキシベンゾフェノン、２，２’−ジヒドロキシ−４−メトキシベンゾフェノン、２，４，５−トリヒドロキシベンゾフェノン、α−トコフェロール、ビス［２−（２−ヒドロキシ−５−メチル−３−ｔ−ブチルベンジル）−４−メチル−６−ｔ−ブチルフェニル］テレフタレート、トリエチレングリコール−ビス［３−（３−ｔ−ブチル−５−メチル−４−ヒドロキシフェニルプロピオネート］、１，６−ヘキサンジオール−ビス［３−（３，５−ジ−ｔ−ブチル−４−ヒドロキシフェニル）プロピオネート］等が例示される。この中でも、特に、２，６−ジ−ｔ−ブチルフェノール、２，６−ジ−ｔ−ブチル−ｐ−クレゾール、４，４’−メチレンビス（２，６−ジ−ｔ−ブチルフェノール）、４，４’−ブチリデンビス（３−メチル−６−ｔ−ブチルフェノール）、２，２’−メチレンビス（４−エチル−６−ｔ−ブチルフェノール）、２，２’−メチレンビス（４−メチル−６−ｔ−ブチルフェノール）、４，４’−イソプロピリデンビスフェノール、２，４−ジメチル−６−ｔ−ブチルフェノール、テトラキス［メチレン−３−（３，５−ジ−ｔ−ブチル−４−ヒドロキシフェニル）プロピオネート］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、２，６−ジ−ｔ−ブチル−４−エチルフェノール、ビス［２−（２−ヒドロキシ−５−メチル−３−ｔ−ブチルベンジル）−４−メチル−６−ｔ−ブチルフェニル］テレフタレ��ト、トリエチレングリコール−ビス［３−（３−ｔ−ブチル−５−メチル−４−ヒドロキシフェニルプロピオネート］、１，６−ヘキサンジオール−ビス［３−（３，５−ジ−ｔ−ブチル−４−ヒドロキシフェニル）プロピオネート］が好ましく、更には、２，６−ジ−ｔ−ブチル−ｐ−クレゾール、４，４’−メチレンビス（２，６−ジ−ｔ−ブチルフェノール）、２，６−ジ−ｔ−ブチル−４−エチルフェノールが最も好ましい。
【００７５】
フェノール系酸化防止剤は１種単独で若しくは２種以上を適宜組み合わせて用いてもよく、その添加量は、通常、流体軸受用潤滑油基油に対して、０．０１〜５重量％であり、好ましくは０．１〜２重量％である。
【００７６】
アミン系酸化防止剤としては、この分野で使用されている公知のものが特に制限されることなく使用できる。これらアミン系酸化防止剤のうちでも、特に分子中に硫黄を含有しない炭素数６〜６０のもの、より好ましくは１０〜４０のものが推奨される。
【００７７】
具体的には、ジフェニルアミン、モノブチル（直鎖及び分岐鎖を含む）ジフェニルアミン、モノペンチル（直鎖及び分岐鎖を含む）ジフェニルアミン、モノヘキシル（直鎖及び分岐鎖を含む）ジフェニルアミン、モノヘプチル（直鎖及び分岐鎖を含む）ジフェニルアミン、モノオクチル（直鎖及び分岐鎖を含む）ジフェニルアミン等のモノアルキルジフェニルアミン、特にモノ（Ｃ４−Ｃ９アルキル）ジフェニルアミン（即ち、ジフェニルアミンの二つのベンゼン環の一方が、アルキル基、特にＣ４−Ｃ９アルキル基でモノ置換されているもの、即ち、モノアルキル置換されたジフェニルアミン）、ｐ，ｐ’−ジブチル（直鎖及び分岐鎖を含む）ジフェニルアミン、ｐ，ｐ’−ジペンチル（直鎖及び分岐鎖を含む）ジフェニルアミン、ｐ，ｐ’−ジヘキシル（直鎖及び分岐鎖を含む）ジフェニルアミン、ｐ，ｐ’−ジヘプチル（直鎖及び分岐鎖を含む）ジフェニルアミン、ｐ，ｐ’−ジオクチル（直鎖及び分岐鎖を含む）ジフェニルアミン、ｐ，ｐ’−ジノニル（直鎖及び分岐鎖を含む）ジフェニルアミン等のジ（アルキルフェニル）アミン、特にｐ，ｐ’−ジ（Ｃ４−Ｃ９アルキルフェニル）アミン（即ち、ジフェニルアミンの二つのベンゼン環の各々が、アルキル基、特にＣ４−Ｃ９アルキル基でモノ置換されているジアルキル置換のジフェニルアミンであって、二つのアルキル基が同一であるもの）、ジ（モノＣ４−Ｃ９アルキルフェニル）アミンであって、一方のベンゼン環上のアルキル基が他方のベンゼン環上のアルキル基と異なるもの、ジ（ジ−Ｃ４−Ｃ９アルキルフェニル）アミンであって、二つのベンゼン環上の４つのアルキル基のうちの少なくとも１つが残りのアルキル基と異なるもの等のジフェニルアミン類；Ｎ−フェニル−１−ナフチルアミン、Ｎ−フェニル−２−ナフチルアミン、４−オクチルフェニル−１−ナフチルアミン、４−オクチルフェニル−２−ナフチルアミン等のナフチルアミン類；ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミン等のフェニレンジアミン類等が例示される。この中でも、特に、ｐ，ｐ’−ジオクチル（直鎖及び分岐鎖を含む）ジフェニルアミン、ｐ，ｐ’−ジノニル（直鎖及び分岐鎖を含む）ジフェニルアミン、Ｎ−フェニル−１−ナフチルアミンが好ましい。なお、本明細書及び特許請求の範囲において「（直鎖及び分岐鎖を含む」とは、直鎖アルキル及び分岐鎖アルキルの一方又は双方を含むという意味である。
【００７８】
アミン系酸化防止剤は１種で若しくは２種以上を適宜組み合わせて用い、その添加量は、通常、流体軸受用潤滑油基油に対して、０．０１〜５重量％であり、好ましくは０．１〜２重量％である。
【００７９】
フェノール系酸化防止剤とアミン系酸化防止剤は、それぞれの１種で若しくは２種以上を適宜組み合わせて用いることが可能である。両者の比率は、特に制限されず広い範囲から適宜選択できるが、フェノール系酸化防止剤（Ｉ）のアミン系酸化防止剤（ＩＩ）に対する重量比が、（Ｉ）：（ＩＩ）＝１：０．０５〜２０、特に１：０．２〜５となるように併用するのが好ましい。
【００８０】
好ましい組み合わせとしては、２，６−ジ−ｔ−ブチル−ｐ−クレゾール、４，４’−メチレンビス（２，６−ジ−ｔ−ブチルフェノール）及び２，６−ジ−ｔ−ブチル−４−エチルフェノールからなる群から選ばれる１種若しくは２種以上と、ｐ，ｐ’−ジオクチル（直鎖及び分岐鎖を含む）ジフェニルアミン、ｐ，ｐ’−ジノニル（直鎖及び分岐鎖を含む）ジフェニルアミン、及びＮ−フェニル−１−ナフチルアミンからなる群から選ばれる１種若しくは２種以上からなる組み合わせが例示される。
【００８１】
具体的には、以下の組み合わせが好ましい。２，６−ジ−ｔ−ブチル−ｐ−クレゾールとｐ，ｐ’−ジオクチル（直鎖及び分岐鎖を含む）ジフェニルアミンの組み合わせ、２，６−ジ−ｔ−ブチル−ｐ−クレゾールとｐ，ｐ’−ジノニル（直鎖及び分岐鎖を含む）ジフェニルアミンの組み合わせ、２，６−ジ−ｔ−ブチル−ｐ−クレゾールとＮ−フェニル−１−ナフチルアミンの組み合わせ、４，４’−メチレンビス（２，６−ジ−ｔ−ブチルフェノール）とｐ，ｐ’−ジオクチル（直鎖及び分岐鎖を含む）ジフェニルアミンの組み合わせ、４，４’−メチレンビス（２，６−ジ−ｔ−ブチルフェノール）とｐ，ｐ’−ジノニル（直鎖及び分岐鎖を含む）ジフェニルアミンの組み合わせ、４，４’−メチレンビス（２，６−ジ−ｔ−ブチルフェノール）とＮ−フェニル−１−ナフチルアミンの組み合わせ、２，６−ジ−ｔ−ブチル−４−エチルフェノールとｐ，ｐ’−ジオクチル（直鎖及び分岐鎖を含む）ジフェニルアミンの組み合わせ、２，６−ジ−ｔ−ブチル−４−エチルフェノールとｐ，ｐ’−ジノニル（直鎖及び分岐鎖を含む）ジフェニルアミンの組み合わせ、２，６−ジ−ｔ−ブチル−４−エチルフェノールとＮ−フェニル−１−ナフチルアミンの組み合わせ等が例示される。この中でも耐熱性に優れる点で、より効果的な組み合わせとして、４，４’−メチレンビス（２，６−ジ−ｔ−ブチルフェノール）とｐ，ｐ’−ジオクチル（直鎖及び分岐鎖を含む）ジフェニルアミンの組み合わせ、４，４’−メチレンビス（２，６−ジ−ｔ−ブチルフェノール）とｐ，ｐ’−ジノニル（直鎖及び分岐鎖を含む）ジフェニルアミンの組み合わせ、４，４’−メチレンビス（２，６−ジ−ｔ−ブチルフェノール）とＮ−フェニル−１−ナフチルアミンの組み合わせ等が推奨される。
【００８２】
フェノール系酸化防止剤とアミン系酸化防止剤を組み合わせたその添加量は、通常、流体軸受用潤滑油基油に対して、０．０１〜５重量％であり、好ましくは０．１〜２重量％である。
【００８３】
上記の流体軸受用潤滑油組成物の性能をさらに向上させるために、金属清浄剤、無灰分散剤、油性剤、摩耗防止剤、極圧剤、金属不活性剤、防錆剤、粘度指数向上剤、流動点降下剤、消泡剤、加水分解抑制剤等の添加剤の少なくとも１種を適宜配合することも可能である。これらの配合量は、本発明の効果を奏する限り特に限定されるものではないが、その具体的な例を以下に示す。
【００８４】
金属清浄剤としては、Ｃａ−石油スルフォネート、過塩基性Ｃａ−石油スルフォネート、Ｃａ−アルキルベンゼンスルフォネート、過塩基性Ｃａ−アルキルベンゼンスルフォネート、Ｂａ−アルキルベンゼンスルフォネート、過塩基性Ｂａ−アルキルベンゼンスルフォネート、Ｍｇ−アルキルベンゼンスルフォネート、過塩基性Ｍｇ−アルキルベンゼンスルフォネート、Ｎａ−アルキルベンゼンスルフォネート、過塩基性Ｎａ−アルキルベンゼンスルフォネート、Ｃａ−アルキルナフタレンスルフォネート、過塩基性Ｃａ−アルキルナフタレンスルフォネート等の金属スルフォネート、Ｃａ−フェネート、過塩基性Ｃａ−フェネート、Ｂａ−フェネート、過塩基性Ｂａ−フェネート等の金属フェネート、Ｃａ−サリシレート、過塩基性Ｃａ−サリシレート等の金属サリシレート、Ｃａ−フォスフォネート、過塩基性Ｃａ−フォスフォネート、Ｂａ−フォスフォネート、過塩基性Ｂａ−フォスフォネート等の金属フォスフォネート、過塩基性Ｃａ−カルボキシレート等が使用可能である。これらの金属清浄剤は、使用する場合、流体軸受用潤滑油基油に対して、通常、１〜１０重量％程度、好ましくは２〜７重量％程度添加するのがよい。
【００８５】
無灰分散剤としては、ポリアルケニルコハク酸イミド、ポリアルケニルコハク酸アミド、ポリアルケニルベンジルアミン、ポリアルケニルコハク酸エステル等が例示される。これらの無灰分散剤は、単独で又は組み合わせて用いてもよく、これを使用する場合、通常、流体軸受用潤滑油基油に対して、１〜１０重量％、好ましくは２〜７重量％添加することが望ましい。
【００８６】
油性剤としては、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和及び不飽和モノアミン、ラウリン酸アミド、オレイン酸アミドなどの脂肪族飽和及び不飽和モノカルボン酸アミド、バチルアルコール、キミルアルコール、セラキルアルコールなどのグリセリンエーテル、ラウリルポリグリセリンエーテル、オレイルポリグリセリルエーテルなどのアルキル若しくはアルケニルポリグリセリルエーテル、ジ（２−エチルヘキシル）モノエタノールアミン、ジイソトリデシルモノエタノールアミンなどのアルキル若しくはアルケニルアミンのポリ（アルキレンオキサイド）付加物等が例示される。これらの油性剤は、単独で又は組み合わせて用いてもよく、これを使用する場合、通常、流体軸受用潤滑油基油に対して、０．０１重量％〜５重量％、好ましくは０．１重量％〜３重量％添加することが望ましい。
【００８７】
摩耗防止剤・極圧剤としては、トリクレジルホスフェート、クレジルジフェニルホスフェート、アルキルフェニルホスフェート類、トリブチルホスフェート、ジブチルホスフェート等のリン酸エステル類、トリブチルホスファイト、ジブチルホスファイト、トリイソプロピルホスファイト等の亜リン酸エステル類及びこれらのアミン塩等のリン系、硫化油脂、硫化オレイン酸などの硫化脂肪酸、ジベンジルジスルフィド、硫化オレフィン、ジアルキルジスルフィドなどの硫黄系、Ｚｎ−ジアルキルジチオフォスフェート、Ｚｎ−ジアルキルジチオフォスフェート、Ｍｏ−ジアルキルジチオフォスフェート、Ｍｏ−ジアルキルジチオカルバメートなどの有機金属系化合物等が例示される。これらの摩耗防止剤は、単独で又は組み合わせて用いてもよく、これを使用する場合、通常、流体軸受用潤滑油基油に対して、０．０１〜１０重量％、好ましくは０．１〜５重量％添加することが望ましい。
【００８８】
金属不活性剤としては、ベンゾトリアゾール系、チアジアゾール系、没食子酸エステル系の化合物等が例示される。これらの金属不活性剤は、単独で又は組み合わせて用いてもよく、これを使用する場合、通常、流体軸受用潤滑油基油に対して、０．０１〜０．４重量％、好ましくは０．０１〜０．２重量％添加することが望ましい。
【００８９】
防錆剤としては、ドデセニルコハク酸ハーフエステル、オクタデセニルコハク酸無水物、ドデセニルコハク酸アミドなどのアルキル又はアルケニルコハク酸誘導体、ソルビタンモノオレエート、グリセリンモノオレエート、ペンタエリスリトールモノオレエートなどの多価アルコール部分エステル、Ｃａ−石油スルフォネート、Ｃａ−アルキルベンゼンスルフォネート、Ｂａ−アルキルベンゼンスルフォネート、Ｍｇ−アルキルベンゼンスルフォネート、Ｎａ−アルキルベンゼンスルフォネート、Ｚｎ−アルキルベンゼンスルフォネート、Ｃａ−アルキルナフタレンスルフォネートなどの金属スルフォネート、ロジンアミン、Ｎ−オレイルザルコシンなどのアミン類、ジアルキルホスファイトアミン塩等が例示される。これらの防錆剤は、単独で又は組み合わせて用いてもよく、これを使用する場合、通常、流体軸受用潤滑油基油に対して、０．０１〜５重量％、好ましくは０．０５〜２重量％添加することが望ましい。
【００９０】
粘度指数向上剤としては、ポリアルキルメタクリレート、ポリアルキルスチレン、ポリブテン、エチレン−プロピレン共重合体、スチレン−ジエン共重合体、スチレン−無水マレイン酸エステル共重合体などのオレフィン共重合体が例示される。これらの粘度指数向上剤は、単独で又は組み合わせて用いてもよく、これを使用する場合、通常、流体軸受用潤滑油基油に対して、０．１〜１５重量％、好ましくは０．５〜７重量％添加することが望ましい。
【００９１】
流動点降下剤としては、塩素化パラフィンとアルキルナフタレンの縮合物、塩素化パラフィンとフェノールの縮合物、既述の粘度指数向上剤であるポリアルキルメタクリレート、ポリアルキルスチレン、ポリブテン等が例示される。これらの流動点降下剤は、単独で又は組み合わせて用いてもよく、これを使用する場合、通常、流体軸受用潤滑油基油に対して、０．０１〜５重量％、好ましくは０．１〜３重量％添加することが望ましい。
【００９２】
消泡剤としては、液状シリコーンが適しており、これを使用する場合、その添加量は、通常、流体軸受用潤滑油基油に対して、０．０００５〜０．０１重量％である。
【００９３】
加水分解抑制剤としては、アルキルグリシジルエーテル類、アルキルグリシジルエステル類、アルキレングリコールグリシジルエーテル類、脂環式エポキシ類、フェニルグリシジルエーテルなどのエポキシ化合物、ジ−ｔｅｒｔ−ブチルカルボジイミド、１，３−ジ−ｐ−トリルカルボジイミドなどのカルボジイミド化合物が使用可能であり、通常、流体軸受用潤滑油基油に対して、０．０５〜２重量％添加するのが望ましい。
【実施例】
【００９４】
以下に実施例を掲げて本発明を詳しく説明するが、本発明はこれら実施例に限定されるものではない。また、各例における潤滑油基油及び潤滑油組成物の物理特性及び化学特性は以下の方法により評価した。
【００９５】
（ａ）酸価
ＪＩＳ−Ｋ−２５０１（１９９２）に準拠して測定した。なお検出限界は０.０１ＫＯＨｍｇ／ｇである。
【００９６】
（ｂ）動粘度
ＪＩＳ−Ｋ−２２８３（２０００）に準拠して、４０℃、１００℃における動粘度を測定した。但し、０℃動粘度はＪＩＳ−Ｋ−２２８３（２０００）に規定される粘度−温度関係式より算出した。
４０℃での動粘度が５〜１５ｍｍ２／ｓの範囲のときに潤滑性能や省エネルギーの点で良好と評価される。
【００９７】
（ｃ）粘度指数
ＪＩＳ−Ｋ−２２８３（２０００）に準拠して算出した。粘度指数１４０以上のときは粘度−温度特性が優れていると評価される。
【００９８】
（ｄ）低温流動性試験（流動点）
ＪＩＳ−Ｋ−２２６９（１９８７）に準拠して流動点を測定した。流動点が−１０℃以下のときには低温流動性が優れていると評価される。
【００９９】
（ｅ）加水分解安定性試験
加水分解試験として、潤滑油基油又は潤滑油組成物１０ｇ及びイオン交換水１．２ｇを試験管に秤量し、減圧脱気しながら試験管を封管した。封管した試験管を１６５℃のファインオーブン内で２４時間静置した後、試験管から試験液を取り出した。試験液を静置し、分層により油層を取り出し、油層の酸価を測定した。加水分解安定性の指標として、加水分解試験前後の酸価の上昇量を算出した。酸価の上昇量が０．７０ＫＯＨｍｇ／ｇ以下のときに加水分解安定性に優れていると評価される。
【０１００】
［製造例１］
撹拌器、温度計、冷却管付き水分分留受器を備えた１リットルの四ツ口フラスコに２−ヘキシルデカノール１．４０モル（ＳＡＳＯＬ社品：ＩＳＯＦＯＬ １６）、ｎ−ノナン酸１．４７モル（ＯＸＥＡ社品：ペラルゴン酸）、キシレン（原料の総量に対し５重量％）及び触媒として酸化スズ触媒（原料の総量に対し０．０２５重量％）を仕込み、窒素置換した後、徐々に２２０℃まで昇温した。理論生成水量（２５．２ｇ）を目処にして留出してくる生成水を水分分留受器で除去しつつ、還流が起こるように減圧度を調整しながら、エステル化反応を行い、理論量の水が留出するまで反応を行った。反応終了後、キシレン及び残存する原料の直鎖状脂肪族飽和モノカルボン酸を蒸留により除去してエステル化粗物を得た。次いで、得られたエステル化粗物の酸価に対して１．２当量の苛性ソーダ水溶液で中和した後、水洗水が中性になるまで繰り返し水洗した。更に、得られたエステル化粗物を活性炭で吸着処理した後、濾過により活性炭を除去して、ｎ−ノナン酸（２−ヘキシルデシル）を得た。酸価は、０．０１ＫＯＨｍｇ／ｇ未満であった。以下得られたｎ−ノナン酸（２−ヘキシルデシル）を「ｎＣ９酸／Ｃ１６ア」と略記する。
【０１０１】
［製造例２］
２−ヘキシルデカノールの代わりに２−オクチルドデカノール１．４０モル（ＳＡＳＯＬ社品：ＩＳＯＦＯＬ ２０）を使用した以外は製造例１と同様の方法により、酸価が０．０１ＫＯＨｍｇ／ｇ未満のｎ−ノナン酸（２−オクチルドデシル）を得た。以下得られたｎ−ノナン酸（２−オクチルドデシル）を「ｎＣ９酸／Ｃ２０ア」と略記する。
【０１０２】
［製造例３］
２−ヘキシルデカノールの代わりに２−ブチルオクタノール１．４０モル（ＳＡＳＯＬ社品：ＩＳＯＦＯＬ １２）、ｎ−ノナン酸の代わりにｎ−デカン酸１．４７モル（新日本理化社品：カプリン酸）を使用した以外は製造例１と同様の方法により、酸価が０．０１ＫＯＨｍｇ／ｇ未満のｎ−デカン酸（２−ブチルオクチル）を得た。以下得られたｎ−デカン酸（２−ブチルオクチル）を「ｎＣ１０酸／Ｃ１２ア」と略記する。
【０１０３】
［製造例４］
ｎ−ノナン酸の代わりにｎ−デカン酸１．４７モル（新日本理化社品：カプリン酸）を使用した以外は製造例１と同様の方法により、酸価が０．０１ＫＯＨｍｇ／ｇ未満のｎ−デカン酸（２−ヘキシルデシル）を得た。以下得られたｎ−デカン酸（２−ヘキシルデシル）を「ｎＣ１０酸／Ｃ１６ア」と略記する。
【０１０４】
［製造例５］
ｎ−ノナン酸の代わりにｎ−ドデカン酸１．４７モル（新日本理化社品：ラウリン酸Ｐ）を使用した以外は製造例１と同様の方法により、酸価が０．０１ＫＯＨｍｇ／ｇ未満のｎ−ドデカン酸（２−へキシルデシル）を得た。以下得られたｎ−ドデカン酸（２−へキシルデシル）を「ｎＣ１２酸／Ｃ１６ア」と略記する。
【０１０５】
［製造例６］
撹拌器、温度計、冷却管付き水分分留受器を備えた１リットルの四ツ口フラスコにｎ−オクタン酸３．０６モル（新日本理化社品：カプリル酸）、３−メチル−１，５−ペンタンジオール（クラレ社品：ＭＰＤ）１．５０モル、キシレン（原料の総量に対し５重量％）及び触媒として酸化スズ（原料の総量に対し０．１重量％）を仕込み、窒素置換した後、徐々に２２０℃まで昇温した。理論生成水量（５４．０ｇ）を目処にして留出してくる生成水を水分分留受器で除去しつつ、還流が起こるように減圧度を調整しながら、エステル化反応を行い、理論量の水が留出するまで反応を行った。反応終了後、キシレン及び残存する原料脂肪族モノカルボン酸を蒸留により除去してエステル化粗物を得た。次いで、得られたエステル化粗物の酸価に対して１．２当量の苛性ソーダ水溶液で中和した後、水洗水が中性になるまで繰り返し水洗した。更に、得られたエステル化粗物を活性炭で吸着処理した後、濾過により活性炭を除去して、酸価が０．０１ＫＯＨｍｇ／ｇ未満の３−メチル−１，５−ペンタンジオール−ジ（ｎ−オクタノエート）を得た。以下得られた３−メチル−１，５−ペンタンジオール−ジ（ｎ−オクタノエート）を「ＭＰＤ／ｎＣ８酸」と略記する。
【０１０６】
［製造例７］
ｎ−オクタン酸の代わりにｎ−ノナン酸３．０６モル（ＯＸＥＡ社品：ペラルゴン酸）を使用した以外は製造例７と同様の方法により、酸価が０．０１ＫＯＨｍｇ／ｇ未満の３−メチル−１，５−ペンタンジオール−ジ（ｎ−ノナノエート）を得た。以下得られた３−メチル−１，５−ペンタンジオール−ジ（ｎ−ノナノエート）を「ＭＰＤ／ｎＣ９酸」と略記する。
【０１０７】
［製造例８］
ｎ−オクタン酸の代わりにｎ−デカン酸３．０６モル（新日本理化社品：カプリン酸）を使用した以外は製造例７と同様の方法により、酸価が０．０１ＫＯＨｍｇ／ｇ未満の３−メチル−１，５−ペンタンジオール−ジ（ｎ−デカノエート）を得た。以下得られた３−メチル−１，５−ペンタンジオール−ジ（ｎ−デカノエート）を「ＭＰＤ／ｎＣ１０酸」と略記する。
【０１０８】
［製造例９］
ｎ−オクタン酸の代わりにｎ−ウンデカン酸３．０６モル（東京化成工業社品：ウンデカン酸）を使用した以外は製造例７と同様の方法により、酸価が０．０１ＫＯＨｍｇ／ｇ未満の３−メチル−１，５−ペンタンジオール−ジ（ｎ−ウンデカノエート）を得た。以下得られた３−メチル−１，５−ペンタンジオール−ジ（ｎ−ウンデカノエート）を「ＭＰＤ／ｎＣ１１酸」と略記する。
【０１０９】
［実施例１〜１２］
上記製造例１〜９で得られた脂肪族飽和モノカルボン酸エステル化合物及びメチルペンタンジオールエステル化合物を表１に記載の混合比率となるように混合して、本発明の流体軸受用潤滑油基油を調製した。調製したそれぞれの基油の動粘度及び粘度指数の測定並びに低温流動性試験（流動点）及び加水分解安定性試験を行い、それらの結果を表１に示した。
【０１１０】
［比較例１〜９］
上記製造例１〜９で調製された脂肪族飽和モノカルボン酸エステル化合物又はメチルペンタンジオールエステル化合物を単独で流体軸受用潤滑油基油として評価した。それらの基油の動粘度及び粘度指数並びに低温流動性試験（流動点）及び加水分解安定性試験を行い、それらの結果を表１に示した。
【０１１１】
【表１】
2017031269.tif 000007
【０１１２】
［実施例１３〜１６］
表２に記載の通り、本発明の流体軸受用潤滑油基油１００重量部に対して、酸化防止剤（ＢＡＳＦ社製品：ＩＲＧＡＮＯＸ  Ｌ５７（ジフェニルアミン誘導体））１重量部添加して本発明の流体軸受用潤滑油組成物を調製した。調製したそれぞれの潤滑油組成物の動粘度及び粘度指数の測定並びに低温流動性試験（流動点）及び加水分解安定性試験を行い、それらの結果を表２に示した。
【０１１３】
［比較例１０〜１１］
表２の記載の通り、脂肪族飽和モノカルボン酸エステル化合物又はメチルペンタンジオールエステル化合物に酸化防止剤を添加して流体軸受用潤滑油組成物として評価した。それらの潤滑油組成物の動粘度及び粘度指数の測定並びに低温流動性試験（流動点）及び加水分解安定性試験を行い、それらの結果を表２に示した。
【０１１４】
【表２】
2017031269.tif 000008
【０１１５】
表１から、本発明の流体軸受用潤滑油基油、製造例１〜９で調製されたエステルを単独で使用する場合と比較すると、潤滑油基油として、耐加水分解性に優れ、粘度指数が高く、且つ、低温流動性が良好な優れた潤滑油基油であることがわかる。また、表２から、本発明の流体軸受用潤滑油組成物も、耐加水分解性に優れ、粘度指数が高く、且つ、低温流動性が良好な優れた潤滑油組成物であることがわかる。
【産業上の利用可能性】
【０１１６】
本発明の流体軸受用潤滑油基油は、耐加水分解性に優れ、粘度指数が高く、且つ、低温流動性が良好なことから、流体軸受用潤滑油基油として使用することにより、流体軸受を備えたスピンドルモータを長期間安定して使用することができる。